(57)【特許請求の範囲】
【請求項１】
ワイヤレス通信に関する方法であって、
ワイヤレスネットワークプロトコルに従って、ランダムアクセスプローブに関する時間周波数リソースのセットを識別することと、
許可されたランダムアクセスプローブ信号次元に対して直交または疑似直交な少なくとも１つの未使用の信号次元を識別することと、前記少なくとも１つの未使用の信号次元を識別することは、
前記少なくとも１つの未使用の信号次元に関して未使用のルート系列を決定することと、前記未使用のルート系列は、アップリンク信号伝送を生成するために用いられないルート系列であり、前記少なくとも１つの未使用の信号次元は、前記未使用のルート系列の少なくとも１つの巡回シフトを含み、
前記少なくとも１つの未使用の信号次元に関してルート系列の未使用の巡回シフトを採用することと、ここにおいて、前記ルート系列は、許可されたランダムアクセスプローブ信号次元のセットを提供し、
を備え、
前記少なくとも１つの未使用の信号次元の解析に基づいて、前記ランダムアクセスプローブに関するノイズを推定することと、さらに
前記未使用のルート系列の巡回シフトごとのエネルギーメトリックのセットを取得することと、前記ノイズを推定するために、エネルギーメトリックの前記セットを平均することと、
を備える、方法。
【請求項２】
ワイヤレス通信に関する方法であって、
ワイヤレスネットワークプロトコルに従って、ランダムアクセスプローブに関する時間周波数リソースのセットを識別することと、
許可されたランダムアクセスプローブ信号次元に対して直交または疑似直交な少なくとも１つの未使用の信号次元を識別することと、前記少なくとも１つの未使用の信号次元を識別することは、前記少なくとも１つの未使用の信号次元に関して未使用のルート系列を決定することを備え、前記未使用のルート系列は、アップリンク信号伝送を生成するために用いられないルート系列であり、前記少なくとも１つの未使用の信号次元は、前記未使用のルート系列の少なくとも１つの巡回シフトを含み、
前記少なくとも１つの未使用の信号次元の解析に基づいて、前記ランダムアクセスプローブに関するノイズを推定することと、さらに
前記未使用のルート系列の巡回シフトごとのエネルギーメトリックのセットを取得することと、前記ノイズを推定するために、エネルギーメトリックの前記セットを平均することと、
を備える、方法。
【請求項３】
前記少なくとも１つの未使用の信号次元に関してルート系列の未使用の巡回シフトを用いることをさらに備え、前記ルート系列が、許可されたランダムアクセスプローブ信号次元のセットを提供する、請求項２に記載の方法。
【請求項４】
前記少なくとも１つの未使用の信号次元に関してルート系列の未使用の巡回シフトのセットを用いることをさらに備える、請求項２に記載の方法。
【請求項５】
前記ルート系列は、前記ランダムアクセスプローブに疑似直交性を提供する系列である、請求項４に記載の方法。
【請求項６】
前記少なくとも１つの未使用の信号次元に関してルート系列の未使用の系列を用いることをさらに備える、請求項２に記載の方法。
【請求項７】
前記ノイズを推定するために、ハードウェア信号プロセッサ内で、前記未使用の系列をインプリメントすることをさらに備える、請求項６に記載の方法。
【請求項８】
前記未使用の系列内でシフトごとにエネルギーメトリックを取得することと、前記エネルギーメトリックを平均することと、をさらに備え、前記ノイズが、前記エネルギーメトリックの前記平均から取得される、請求項７に記載の方法。
【請求項９】
前記ノイズを推定するために、前記未使用の系列をソフトウェア信号処理アルゴリズム内でインプリメントすること、をさらに備える、請求項６に記載の方法。
【請求項１０】
前記少なくとも１つの未使用の信号次元に関して用いられる未使用の系列のセットからエネルギーメトリックのセットを取得すること、をさらに備え、前記ノイズを推定することは、エネルギーメトリックの前記セットを平均することをさらに備える、請求項９に記載の方法。
【請求項１１】
ワイヤレス通信に関して構成された装置であって、
アップリンクワイヤレス信号を受信するための通信インターフェースと、
前記アップリンクワイヤレス信号に関するノイズを測定するように構成された命令を格納するためのメモリと、
前記命令をインプリメントするモジュールを実行するためのデータプロセッサと、
を備え、
前記モジュールは、
前記装置によってサービス提供される地理的領域に関して未使用の信号次元のセットを識別する基準モジュールと、なお、未使用の信号次元の前記セットは、時間ベースの信号次元または周波数ベースの信号次元である；
未使用の信号次元の前記セットに関して受信されたエネルギーを測定して、前記アップリンクワイヤレス信号に関するノイズの推定を計算する計算モジュールと；
を備え、
未使用の信号次元の前記セットは、未使用のルート系列から取得され、
未使用の信号次元の前記セットは、前記地理的領域における少なくともアップリンク信号の伝送のために用いられないコード系列を備え、
前記未使用のルート系列は、アップリンク信号伝送を生成するために用いられないルート系列であり、未使用の信号次元の前記セットは、前記未使用のルート系列の少なくとも１つの巡回シフトを含み、
前記計算モジュールは、前記未使用のルート系列の巡回シフトごとにエネルギーメトリックのセットを取得して、前記ノイズの推定を計算するために、エネルギーメトリックの前記セットを平均化する、
装置。
【請求項１２】
ワイヤレス通信に関して構成された装置であって、
アップリンクワイヤレス信号を受信するための通信インターフェースと、
前記アップリンクワイヤレス信号に関するノイズを測定するように構成された命令を格納するためのメモリと、
前記命令をインプリメントするモジュールを実行するためのデータプロセッサと、
を備え、
前記モジュールは、
前記装置によってサービス提供される地理的領域に関して未使用の信号次元のセットを識別する基準モジュールと、なお、未使用の信号次元の前記セットは、時間ベースの信号次元または周波数ベースの信号次元である；
未使用の信号次元の前記セットに関して受信されたエネルギーを測定して、前記アップリンクワイヤレス信号に関するノイズの推定を計算する計算モジュールと；
を備え、
未使用の信号次元の前記セットは、未使用のルート系列から取得され、
前記未使用のルート系列は、アップリンク信号伝送を生成するために用いられないルート系列であり、未使用の信号次元の前記セットは、前記未使用のルート系列の少なくとも１つの巡回シフトを含み、
前記計算モジュールは、前記未使用のルート系列の巡回シフトごとにエネルギーメトリックのセットを取得して、前記ノイズの推定を計算するために、エネルギーメトリックの前記セットを平均化する、
装置。
【請求項１３】
未使用の信号次元の前記セットは、前記地理的領域内の少なくともアップリンク信号の伝送のために用いられないコード系列を備える、請求項１２に記載の装置。
【請求項１４】
未使用の信号次元の前記セットは、前記地理的領域内の少なくともアップリンク信号に関して直交性または疑似直交性を提供するために用いられるＺａｄｏｆｆ−Ｃｈｕ系列のセットの未使用の巡回シフトを備える、請求項１２に記載の装置。
【請求項１５】
未使用の信号次元の前記セットは、前記地理的領域内、もしくは前記装置に関連する基地局の信号範囲内で直交アップリンク信号伝送または疑似直交アップリンク信号伝送を生成するために用いられないルート系列の巡回シフトのセットを備える、請求項１２に記載の装置。
【請求項１６】
未使用の信号次元の前記セットの未使用の信号次元のサブセットに関して受信された信号エネルギーのメトリックを測定することによって、前記ノイズの推定を計算するためのハードウェア信号プロセッサ、をさらに備える、請求項１２に記載の装置。
【請求項１７】
前記ハードウェア信号プロセッサは、
未使用の信号次元の前記サブセットのそれぞれの未使用の信号次元に関する信号次元のメトリックを生成し、
未使用の信号次元の前記サブセットの集約されたメトリックを取得するために、それぞれの信号次元のメトリックに関して統計的計算を実行し、
前記ノイズを推定するために、前記集約されたメトリックを用いる、
請求項１６に記載の装置。
【請求項１８】
未使用の信号次元の前記セットに関して前記受信されたエネルギーの集約測定値から前記ノイズの推定を計算するために、前記メモリ内に格納された信号処理フォーミュラを用いる処理モジュール、をさらに備える、請求項１２に記載の装置。
【請求項１９】
未使用の信号次元の前記セットは、前記地理的領域内、または前記装置に関連する基地局のワイヤレス範囲内で利用されていないコード系列のセットから取得される、請求項１８に記載の装置。
【請求項２０】
前記信号処理フォーミュラは、未使用の信号次元の前記セットに関連して、受信されたエネルギーメトリックのセットの平均を備え、さらに、前記処理モジュールは、前記ノイズの推定に関して受信されたエネルギーメトリックの前記セットの前記平均を用いる、請求項１９に記載の装置。
【請求項２１】
前記基準モジュールは、前記未使用のルート系列の巡回シフトから未使用の信号次元の前記セットを識別する、請求項１２に記載の装置。
【請求項２２】
ワイヤレス通信に関する装置であって、
ワイヤレスネットワークプロトコルに従って、アップリンクランダムアクセス要求に提供された時間周波数リソースを識別するための手段と、
前記時間周波数リソース上で許可されたランダムアクセス信号次元に対して直交または疑似直交であり、そして、前記装置によってサービス提供される地理的領域内の前記時間周波数リソース上のアップリンク伝送に割り当てられていない、少なくとも１つの未使用の信号次元を識別するための手段と、前記少なくとも１つの未使用の信号次元を識別するための手段は、
前記少なくとも１つの未使用の信号次元に関して未使用のルート系列を決定し、前記未使用のルート系列は、アップリンク信号伝送を生成するために用いられないルート系列であり、前記少なくとも１つの未使用の信号次元は、前記未使用のルート系列の少なくとも１つの巡回シフトを含み、
前記少なくとも１つの未使用の信号次元に関してルート系列の未使用の巡回シフトを採用し、前記ルート系列は、許可されたランダムアクセスプローブ信号次元のセットを提供する、
ように構成され、
前記信号次元の解析に基づいて、前記時間周波数リソースに関するノイズを推定するための手段と、さらに
前記未使用のルート系列の巡回シフトごとのエネルギーメトリックのセットを取得し、前記ノイズを推定するために、エネルギーメトリックの前記セットを平均するための手段と、
を備える、装置。
【請求項２３】
ワイヤレス通信に関する装置であって、
ワイヤレスネットワークプロトコルに従って、アップリンクランダムアクセス要求に提供された時間周波数リソースを識別するための手段と、
前記時間周波数リソース上で許可されたランダムアクセス信号次元に対して直交または疑似直交であり、そして、前記装置によってサービス提供される地理的領域内の前記時間周波数リソース上のアップリンク伝送に割り当てられていない、少なくとも１つの未使用の信号次元を識別するための手段と、前記少なくとも１つの未使用の信号次元を識別するための手段は、前記少なくとも１つの未使用の信号次元に関して未使用のルート系列を決定するように構成され、前記未使用のルート系列は、アップリンク信号伝送を生成するために用いられないルート系列であり、前記少なくとも１つの未使用の信号次元は、前記未使用のルート系列の少なくとも１つの巡回シフトを含み、
前記信号次元の解析に基づいて、前記時間周波数リソースに関するノイズを推定するための手段と、さらに
前記未使用のルート系列の巡回シフトごとのエネルギーメトリックのセットを取得し、前記ノイズを推定するために、エネルギーメトリックの前記セットを平均するための手段と、
を備える、装置。
【請求項２４】
前記少なくとも１つの未使用の信号次元に関してルート系列の未使用の巡回シフトを用いるための手段、をさらに備え、前記ルート系列は、許可されたランダムアクセスプローブ信号次元のセットを提供する、請求項２３に記載の装置。
【請求項２５】
前記少なくとも１つの未使用の信号次元に関してルート系列の未使用の巡回シフトのセットを用いるための手段、をさらに備える、請求項２３に記載の装置。
【請求項２６】
前記ルート系列は、前記ランダムアクセスプローブに疑似直交性を提供する系列である、請求項２５に記載の装置。
【請求項２７】
前記少なくとも１つの未使用の信号次元に関してルート系列の未使用の系列を用いるための手段、をさらに備える、請求項２３に記載の装置。
【請求項２８】
メモリ内に格納されたコンピュータ実行可能モジュールを実行するように構成されたプロセッサを備えた、ワイヤレス通信に関する装置であって、前記モジュールは
ワイヤレスネットワークプロトコルに従って、アップリンクランダムアクセス要求に提供された時間周波数リソースを識別する第１のモジュールと、
前記時間周波数リソース上で許可されたランダムアクセス信号次元に対して直交または疑似直交であり、そして、基地局によってサービス提供される地理的領域内の前記時間周波数リソース上のアップリンク伝送に割り当てられていない、少なくとも１つの未使用の信号次元を識別する第２のモジュールと、
前記信号次元の解析に基づいて、前記時間周波数リソースに関するノイズを推定する第３のモジュールと、
前記未使用のルート系列の巡回シフトごとのエネルギーメトリックのセットを取得し、前記ノイズを推定するために、エネルギーメトリックの前記セットを平均する第４のモジュールと、
を備え、
未使用のルート系列は、前記少なくとも１つの未使用の信号次元に関して使用され、前記未使用のルート系列は、アップリンク信号伝送を生成するために用いられないルート系列であり、前記少なくとも１つの未使用の信号次元は、前記未使用のルート系列の少なくとも１つの巡回シフトを含み、
ルート系列の未使用の巡回シフトは、前記少なくとも１つの未使用の信号次元に関して使用され、前記ルート系列は、許可されたランダムアクセスプローブ信号次元のセットを提供する、装置。
【請求項２９】
メモリ内に格納されたコンピュータ実行可能モジュールを実行するように構成されたプロセッサを備えた、ワイヤレス通信に関する装置であって、前記モジュールは
ワイヤレスネットワークプロトコルに従って、アップリンクランダムアクセス要求に提供された時間周波数リソースを識別する第１のモジュールと、
前記時間周波数リソース上で許可されたランダムアクセス信号次元に対して直交または疑似直交であり、そして、基地局によってサービス提供される地理的領域内の前記時間周波数リソース上のアップリンク伝送に割り当てられていない、少なくとも１つの未使用の信号次元を識別する第２のモジュールと、
前記信号次元の解析に基づいて、前記時間周波数リソースに関するノイズを推定する第３のモジュールと、
前記未使用のルート系列の巡回シフトごとのエネルギーメトリックのセットを取得し、前記ノイズを推定するために、エネルギーメトリックの前記セットを平均する第４のモジュールと、
を備え、
未使用のルート系列は、前記少なくとも１つの未使用の信号次元に関して使用され、前記未使用のルート系列は、アップリンク信号伝送を生成するために用いられないルート系列であり、前記少なくとも１つの未使用の信号次元は、前記未使用のルート系列の少なくとも１つの巡回シフトを含む、
装置。
【請求項３０】
ルート系列の未使用の巡回シフトは、前記少なくとも１つの未使用の信号次元に関して使用され、前記ルート系列が、許可されたランダムアクセスプローブ信号次元のセットを提供する、請求項２９に記載の装置。
【請求項３１】
ルート系列の未使用の巡回シフトのセットは、前記少なくとも１つの未使用の信号次元に関して使用される、請求項２９に記載の装置。
【請求項３２】
前記ルート系列は、前記ランダムアクセスプローブに疑似直交性を提供する系列である、請求項３１に記載の装置。
【請求項３３】
ルート系列の未使用の系列は、前記少なくとも１つの未使用の信号次元に関して使用される、請求項２９に記載の装置。
【請求項３４】
コンピュータに、ワイヤレスネットワークプロトコルに従って、アップリンクランダムアクセス要求に提供された時間周波数リソースを識別させるための第１のコードのセットと、
前記コンピュータに、前記時間周波数リソース上で許可されたランダムアクセス信号次元に対して直交または疑似直交であり、そして、基地局によってサービス提供される地理的領域内の前記時間周波数リソース上のアップリンク伝送に割り当てられていない、少なくとも１つの未使用の信号次元を識別させるための第２のコードのセットと、
前記コンピュータに、前記信号次元の解析に基づいて、前記時間周波数リソースに関するノイズを推定させるための第３のコードのセットと、
前記コンピュータに、前記未使用のルート系列の巡回シフトごとのエネルギーメトリックのセットを取得させ、前記ノイズを推定するために、エネルギーメトリックの前記セットを平均させるための第４のコードのセットと、
を備え、
未使用のルート系列は、前記少なくとも１つの未使用の信号次元に関して使用され、前記未使用のルート系列は、アップリンク信号伝送を生成するために用いられないルート系列であり、前記少なくとも１つの未使用の信号次元は、前記未使用のルート系列の少なくとも１つの巡回シフトを含み、
ルート系列の未使用の巡回シフトは、前記少なくとも１つの未使用の信号次元のために使用され、前記ルート系列は、許可されたランダムアクセスプローブ信号次元のセットを提供する、
コンピュータ可読記憶媒体。
【請求項３５】
コンピュータに、ワイヤレスネットワークプロトコルに従って、アップリンクランダムアクセス要求に提供された時間周波数リソースを識別させるための第１のコードのセットと、
前記コンピュータに、前記時間周波数リソース上で許可されたランダムアクセス信号次元に対して直交または疑似直交であり、そして、基地局によってサービス提供される地理的領域内の前記時間周波数リソース上のアップリンク伝送に割り当てられていない、少なくとも１つの未使用の信号次元を識別させるための第２のコードのセットと、
前記コンピュータに、前記信号次元の解析に基づいて、前記時間周波数リソースに関するノイズを推定させるための第３のコードのセットと、
前記コンピュータに、前記未使用のルート系列の巡回シフトごとのエネルギーメトリックのセットを取得させ、前記ノイズを推定するために、エネルギーメトリックの前記セットを平均させるための第４のコードのセットと、
を備え、
未使用のルート系列は、前記少なくとも１つの未使用の信号次元に関して使用され、前記未使用のルート系列は、アップリンク信号伝送を生成するために用いられないルート系列であり、前記少なくとも１つの未使用の信号次元は、前記未使用のルート系列の少なくとも１つの巡回シフトを含む、
コンピュータ可読記憶媒体。
【請求項３６】
ルート系列の未使用の巡回シフトは、前記少なくとも１つの未使用の信号次元に関して使用され、前記ルート系列が、許可されたランダムアクセスプローブ信号次元のセットを提供する、請求項３５に記載のコンピュータ可読記憶媒体。
【請求項３７】
ルート系列の未使用の巡回シフトのセットは、前記少なくとも１つの未使用の信号次元に関して使用される、請求項３５に記載のコンピュータ可読記憶媒体。
【請求項３８】
前記ルート系列は、前記ランダムアクセスプローブに疑似直交性を提供する系列である、請求項３７に記載のコンピュータ可読記憶媒体。
【請求項３９】
ルート系列の未使用の系列は、前記少なくとも１つの未使用の信号次元に関して使用される、請求項３５に記載のコンピュータ可読記憶媒体。
【発明の詳細な説明】
【優先権主張】
【０００１】
（米国特許法第１１９条(35U.S.C§119)に基づく優先権主張）
本特許出願は、本譲受人に譲渡され、参照により本明細書に明示的に組み込まれている、「ノイズ推定を容易にする方法および装置(METHOD AND APPARATUS FACILITATING NOISE ESTIMATION)」と題された、２００９年７月１６日に出願された仮特許出願第６１／２２６，１４９号の優先権を主張する。
【背景】
【０００２】
［Ｉ．分野］
本態様は、ワイヤレス通信に関し、より詳細には、それに限定されないが、物理ランダムアクセスチャネル（ＰＲＡＣＨ）ノイズ推定など、ノイズ推定のための技術に関する。
【０００３】
［ＩＩ．背景］
ワイヤレス通信システムは、音声コンテンツ、データコンテンツなど、様々なタイプの通信コンテンツを提供するために広く展開されている。典型的なワイヤレス通信システムは、利用可能なシステムリソース（例えば、帯域幅、送信電力など）を共有することによって、複数のユーザとの通信をサポートできる多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、直行周波数分割多元接続（ＯＦＤＭＡ）システムなどを含み得る。加えて、これらのシステムは、第３世代パートナーシッププロジェクト（３ＧＰＰ）、３ＧＰＰ２、高速パケットアクセス（ＨＳＰＡ）、高速ダウンリンクパケットアクセス（ＨＳＤＰＡ）、高速アップリンクパケットアクセス（ＨＳＵＰＡ）、３ＧＰＰロングタームエボリューション（ＬＴＥ）、ＬＴＥアドバンスト（ＬＴＥ−Ａ）などの仕様書に適合し得る。
【０００４】
一般に、ワイヤレス多元接続通信システムは、複数のモバイルデバイスに関する通信を同時にサポートすることが可能である。それぞれのモバイルデバイスは、順方向リンク上および逆方向リンク上の伝送を経由して、１つまたは複数の基地局と通信することが可能である。順方向リンク（すなわち、ダウンリンク）は、基地局からモバイルデバイスへの通信リンクを指し、逆方向リンク（すなわち、アップリンク）は、モバイルデバイスから基地局への通信リンクを指す。さらに、モバイルデバイスと基地局との間の通信は、単入力単出力（ＳＩＳＯ）システム、多入力単出力（ＭＩＳＯ）システム、多入力多出力（ＭＩＭＯ）システムなどを経由して確立できる。
【０００５】
ワイヤレス通信を行うために、ユーザ機器は、ワイヤレスネットワークのアクセスチャネル上でワイヤレス信号を送信することによって、ワイヤレスネットワークに入るためのアクセスを要求する。ワイヤレス信号は基地局によって受信されて、ワイヤレスネットワークへのアクセスをそのユーザ機器に認めるかどうかを（例えば、そのユーザ機器がワイヤレスネットワークに対する有効なサブスクリプションに関連しているかどうかを）決定するために解析される。成功裏に信号を受信して、受信信号を復調するために、基地局は、とりわけ、その受信信号を他の送信信号から分離して、受信信号強度をアクセスチャネル上のノイズと比較しなければならない。しかし、ノイズに比べて、信号強度が比較的弱い場合、他の送信機からの干渉が存在する場合、または信号散乱、高いドップラー効果など、その他の物理的条件がアクセスチャネル上で普及している場合など、ノイズ推定は困難な場合がある。したがって、ノイズを正確に推定して、除去するための機構は、成功裏のワイヤレス通信にとって有益である。
【発明の概要】
【０００６】
以下の説明は、１つまたは複数の態様の基本的な理解をもたらすために、そのような態様の簡素化された要約を提示する。この要約は、すべての企図される態様の広範囲な概要ではなく、すべての態様の主な要素もしくは重要な要素を識別すること、または任意の態様もしくはすべての態様の範囲を描写することなどは意図されていない。その唯一の目的は、後で提示されるより詳細な説明の前置きとして、本主題開示の１つまたは複数の態様のいくつかの概念を簡素化された形で提示することである。
【０００７】
本主題の開示は、ワイヤレス通信におけるノイズ推定、詳細には、ユーザ機器（ＵＥ）によって送信されるアクセス要求信号を提供する。本主題開示のいくつかの態様では、受信機は、ノイズ推定に関して未使用の信号次元(unused signal dimensions)を用いることが可能である。加えて、特定のワイヤレスチャネル関するノイズ推定を取得するために、そのチャネルに関連する時間周波数リソース(time-frequency resources)に関して、それらの未使用の信号次元を選択することが可能である。未使用の信号次元を用いることによって、ノイズ測定は、他の信号伝送を含まず、そのチャネルの正確なノイズ推定を提供する可能性が高い。
【０００８】
本主題開示の特定の態様によれば、チャネルノイズ推定に関して、様々なタイプの未使用の信号次元を用いることが可能である。例えば、（本明細書において、Ｃｈｕ系列と呼ばれる）Ｚａｄｏｆｆ−Ｃｈｕ系列の１つまたは複数の未使用の巡回シフト(unused cyclic shifts)を、未使用の信号次元として用いることができる。別の事例では、それらの系列の異なる巡回シフトに関してエネルギー相関を生成するハードウェア信号プロセッサ、またはハードウェア信号プロセッサのエネルギー相関出力を用いるソフトウェア処理モジュールのいずれかによって、ノイズ推定に関して、Ｃｈｕ系列のサブセットを予約することが可能である。さらに別の事例では、代わりに、ノイズ推定に関して、（１つまたは複数の）Ｃｈｕ系列の１つまたは複数のルートを予約することが可能である。少なくとも１つの態様によれば、そうでなければ、受信基地局によって、またはその受信基地局のシグナリング範囲内の隣接基地局によって利用されないルート系列を選択することが可能である。ノイズ推定に関して用いられるいくつかの未使用の信号次元に応じて、または推定がハードウェア信号プロセッサにおいて実行されるか、もしくはソフトウェア処理モジュールにおいて実行されるかに応じて、ノイズ推定の精度全体を高めるために、複数の巡回シフトを通して、複数の推定が平均されることができる(an average of multiple estimates can be performed)。
【０００９】
本主題開示の他の態様では、ワイヤレス通信に関する方法が提供される。この方法は、ワイヤレスネットワークプロトコルに従って、ランダムアクセスプローブ(a random access probe)に関する時間周波数リソースのセットを識別することを備え得る。加えて、この方法は、許可されたランダムアクセスプローブ次元に対して直交または疑似直交な少なくとも１つの未使用の次元を識別することを備え得る。上記に加えて、この方法は、少なくとも１つの未使用の次元の解析に基づいて、ランダムアクセスプローブに関するノイズを推定することを備え得る。
【００１０】
追加の態様では、ワイヤレス通信に関して構成された装置が提供される。この装置は、アップリンクワイヤレス信号を受信するための通信インターフェースを備えることが可能である。この装置は、アップリンクワイヤレス信号に関するノイズを測定するように構成された命令を格納するためのメモリと、それらの命令をインプリメントする(implement)モジュールを実行するためのデータプロセッサとを備えることも可能である。これらのモジュールのうちの少なくとも１つは、その装置がワイヤレスネットワークサービスをサポートする地理的領域に関して未使用の信号次元のセットを識別する基準モジュールを備えることが可能であり、未使用の信号次元のセットは、時間ベースの信号次元または周波数ベースの信号次元(time-based or frequency-based signal dimensions)である。さらに、これらのモジュールは、未使用の信号次元のセットに関して受信されたエネルギーを測定して、アップリンクワイヤレス信号に関するノイズの推定を計算する計算モジュールを備えることも可能である。
【００１１】
さらにその他の態様では、開示されるのは、ワイヤレス通信に関する装置である。この装置は、ワイヤレスネットワークプロトコルに従って、アップリンクランダムアクセス要求に提供された時間周波数リソースを識別するための手段を備えることが可能である。さらに、この装置は、時間周波数リソース上で許可されたランダムアクセス次元に対して直交または疑似直交であり、そして、その装置によってサービス提供される地理的地域内の時間周波数リソース上のアップリンク伝送に割り当てられていない、信号次元を識別するための手段を備えることが可能である。さらにまた、この装置は、信号次元の解析に基づいて、時間周波数リソースに関するノイズを推定するための手段を備えることが可能である。
【００１２】
別の態様によれば、ワイヤレス通信に関して構成された少なくとも１つのプロセッサが提供される。この（１つまたは複数の）プロセッサは、ワイヤレスネットワークプロトコルに従って、アップリンクランダムアクセス要求に提供された時間周波数リソースを識別する第１のモジュールを備えることが可能である。加えて、この（１つまたは複数の）プロセッサは、時間周波数リソース上で許可されたランダムアクセス次元に対して直交または疑似直交であり、そして、基地局によってサービス提供される地理的領域内の時間周波数リソース上のアップリンク伝送に割り当てられていない、信号次元を識別する第２のモジュールを備えることが可能である。さらに、この（１つまたは複数の）プロセッサは、信号次元の解析に基づいて、時間周波数リソースに関するノイズを推定する第３のモジュールを備えることが可能である。
【００１３】
主題開示のさらにその他の態様は、コンピュータ可読媒体を備えたコンピュータプログラム製品を提供する。このコンピュータ可読媒体は、コンピュータに、ワイヤレスネットワークプロトコルに従って、アップリンクランダムアクセス要求に提供された時間周波数リソースを識別させるための第１のコードのセットを備えることが可能である。さらに、このコンピュータ可読媒体は、コンピュータに、時間周波数リソース上で許可されたランダムアクセス次元に対して直交または疑似直交であり、そして、基地局によってサービス提供される地理的領域内の時間周波数リソース上のアップリンク伝送に割り当てられていない、信号次元を識別させるための第２のコードのセットを備えることが可能である。さらにまた、このコンピュータ可読媒体は、コンピュータに、信号次元の解析に基づいて、時間周波数リソースに関するノイズを推定させるための第３のコードのセットを備えることが可能である。
【００１４】
前述の目的、および関連する目的を達成するために、１つまたは複数の態様は、以下で十分に説明され、特許請求の範囲において特に指摘される特徴を備える。以下の説明および添付の図面は、１つまたは複数の態様のいくつかの例示的な特徴を詳細に記載する。これらの特徴は、様々な態様の原理を用いることが可能な様々な様式のうちのほんのいくつかを示し、この説明は、すべてのそのような態様およびそれらの均等物(equivalents)を含むことが意図される。
【図面の簡単な説明】
【００１５】
【図１】開示された態様による、受信ワイヤレス信号に関するノイズ推定を提供する１つの例示的なワイヤレス装置のブロック図。
【図２】主題開示の特定の態様による１つのサンプルノイズ推定装置のブロック図。
【図３】そこからノイズ推定に関して未使用の信号次元を用いることが可能なＣｈｕ系列の１つの例示的な選択の図。
【図４】物理ランダムアクセスチャネル（ＰＲＡＣＨ）に関するノイズ推定を提供する１つのサンプル基地局のブロック図。
【図５】他の態様による、ワイヤレス通信において改善されたノイズ推定を提供するための１つの例示的な方法(methodology)の流れ図。
【図６】ＰＲＡＣＨノイズ推定に関して未使用の信号次元を用いるための１つのサンプル方法の流れ図。
【図６Ａ】ＰＲＡＣＨノイズ推定に関して未使用の信号次元を用いるための１つのサンプル方法の流れ図。
【図７】主題開示のさらに他の態様による、ノイズ推定を提供する１つのサンプル装置のブロック図。
【図８】主題開示の様々な態様をインプリメントするために用いることが可能な１つのサンプルワイヤレス通信装置のブロック図。
【図９】さらなる態様による、ワイヤレス通信に関する１つのサンプルセルラ環境のブロック図。
【図１０】１つまたは複数の開示された態様に適した１つの例示的なセルベースのワイヤレス通信構成のブロック図。
【詳細な説明】
【００１６】
次に、全体を通して類似の要素を示すために、類似の参照番号が使用される図を参照して、様々な態様が説明される。以下の説明では、説明のために、１つまたは複数の態様の十分な理解をもたらすために、多数の特定の詳細が記載される。しかし、そのような（１つまたは複数の）態様は、これらの特定の詳細なしで実行可能である点は明らかであろう。その他の事例では、１つまたは複数の態様の説明を容易にするため、よく知られている構造およびデバイスはブロック図の形で示される。
【００１７】
加えて、本開示の様々な態様が下で説明される。本明細書の教示は、幅広い様々な具体化される(embodied)ことができ、本明細書で開示される任意の特定の構造および／または機能は単なる代表的なものであることが明らかであろう。本明細書の教示に基づいて、当業者は、本明細書で開示される態様は、任意のその他の態様に依存せずにインプリメントされることができ、それらの態様の２つ以上を様々な形で組み合わせることが可能である点を理解されたい。例えば、本明細書に記載される任意の数の態様を使用して、装置がインプリメントされることができ、かつ／または方法を実行することができる。加えて、本明細書に記載される態様のうちの１つもしくは複数に加えて、またはそれらの態様のうちの１つもしくは複数以外に、その他の構造および／もしくは機能性を使用して、装置はインプリメントされることができ、かつ／または方法を実行することができる。一例として、本明細書で説明されるこれらの方法、デバイス、システム、および装置の多くは、とりわけ、ワイヤレス通信に改善されたノイズ推定を提供する文脈で説明される。当業者は、類似の技法をその他の通信環境に適用できる点を理解されたい。
【００１８】
ワイヤレス通信システムは、（例えば、基地局のネットワークを備えた）ローカルインフラストラクチャの展開を介して遠隔に配置されたワイヤレスノードと、ローカルインフラストラクチャを通信可能に結合する中央ネットワークとの間で電子通信を達成する。これらの中央ネットワークは、コンテンツをモバイルユーザ機器（ＵＥ）に配信するためのＵＥの位置と、集約された形で、個々のモバイルデバイスにサービス提供しているローカルインフラストラクチャと電子通信に従事している遠隔ノードとの間の通信リンク全体とを決定するように構成される。一般に、ローカルインフラストラクチャは、これらのノードとワイヤレス情報を交換するために、様々なシングルキャリア周波数もしくはマルチキャリア周波数、またはシングルキャリア周波数とマルチキャリア周波数の混合物を利用して、符号分割多重（ＣＤＭ）、周波数分割多重（ＦＤＭ）、直行周波数分割多重（ＯＦＤＭ）、時分割複信（ＴＤＤ）などを含めて、様々なワイヤレス通信技術を利用することが可能である。さらに、このインフラストラクチャは、３ＧＰＰ  ＬＴＥワイヤレスネットワークまたはＬＴＥ−Ａワイヤレスネットワーク、ＷＣＤＭＡワイヤレスネットワーク、ＯＦＤＭＡワイヤレスネットワーク、ＣＤＭＡネットワーク、３ＧＰＰ２ＣＤＭＡ２０００ネットワーク、ＥＶ−ＤＯネットワーク、ＷｉＭＡＸネットワーク、ＨＳＰＡネットワークなどを含むことが可能である。
【００１９】
ワイヤレスネットワークにアクセスするために、ＵＥは、アクセスプローブ信号をワイヤレスネットワークの基地局に送り、アクセスプローブ信号をワイヤレスネットワークの基地局に送信し、またはそうでない場合、アクセスプローブ信号をワイヤレスネットワークの基地局に通信する。一般に、アクセスプローブ信号は、アクセス信号に関してワイヤレスネットワークによって予約された特定のワイヤレスリソース（例えば、時間周波数リソース）上で送信される（これらのワイヤレスリソースは、アクセスリソース、またはアクセスチャネル、例えば、物理ランダムアクセスチャネル（ＰＲＡＣＨ）と呼ばれる場合がある）。アクセスチャネルリソースは、一般に、その基地局によって、その基地局によってサービス提供されるセルまたは地理的領域にブロードキャストされる。このブロードキャストは、システム情報ブロック（ＳＩＢ）ブロードキャストなどを備えることが可能である。アクセスチャネルリソース上でブロードキャストを受信して、適したアクセスプローブを送信するように構成されたデバイスは、ワイヤレスネットワークへのアクセスを試みることが可能である。
【００２０】
基地局は、通常、その基地局がアクセスリソース上でアクセスプローブ信号を受信することになるかどうか、またはその基地局がどれだけ多くのアクセスプローブ信号を受信することになるかを認識していないため、アクセスプローブは、一般に、ブラインドアクセス信号、またはランダムアクセス信号と呼ばれる。基地局は、アクセスリソース上で受信されたエネルギーレベルを測定して、その受信されたエネルギーレベルを所定のしきい値と比較することによって、遠隔デバイス（ＵＥ）がワイヤレスネットワークへのアクセスを試みていることを決定することが可能である。例えば、基地局は、アクセスリソース上で信号のセットを受信して、所定のしきい値を超えるエネルギーレベルを有する信号がアクセスプローブ信号であり、所定のしきい値未満のエネルギーレベルを有する信号がノイズであることを決定することが可能である。基地局はＵＥがアクセスチャネル上でワイヤレスネットワークへのアクセスを試みているかどうか、またはどれだけ多くのＵＥがアクセスチャネル上でワイヤレスネットワークへのアクセスを試みているかについて事前の知識を有さないため、それらの信号のエネルギーレベルが所定のしきい値を超えない場合、基地局はすべての受信信号をノイズに帰する可能性がある。したがって、基地局は、有効信号としての属性を有するとするには十分強力でないアクセスプローブには応答しないことになる。
【００２１】
所定のしきい値があまりにも低く設定されている場合、基地局は、ワイヤレスネットワークへのアクセスを試みているＵＥがない場合に応答できる点を理解されよう。その結果として、基地局は、ネットワークリソースを非効率的に使用して、近くの基地局の他の信号に不必要に干渉する可能性がある。加えて、またはその代わりに、所定のしきい値があまりにも高く設定されている場合、基地局は、有効アクセス要求を無視し、結果として、不良なワイヤレスサービスを提供する可能性がある。理論的には、所定のしきい値は、所与の時点で、アクセスチャネルに影響を及ぼす実際のノイズレベルに応じたものであるはずである。しかし、実際のノイズは、通常は不明であり、代わりに推定される。したがって、ＰＲＡＣＨまたはその他のチャネル上の正確なノイズ推定は、潜在的なアクセス要求を拒絶するためまたは当該アクセス要求に応答するために用いられる誤認警報しきい値（ＦＡしきい値）を決定するのに役立つ。本明細書で説明されるのは、本主題開示の態様による、ＰＲＡＣＨノイズ推定を含む、ノイズ推定に関する様々な技法である。
【００２２】
次に図面を参照すると、図１は、主題開示の態様による、１つの例示的なワイヤレス通信装置１００のブロック図を示す。ワイヤレスネットワークへのアクセスを試みているＵＥのランダムアクセス要求を受信するため、および当該ランダムアクセス要求に応答するために、ワイヤレス通信装置１００を用いることが可能である。加えて、ワイヤレス通信装置１００は、ＰＲＡＣＨなど、アクセスチャネル上で背景ノイズから有効アクセス要求を区別するためにノイズ推定を提供することが可能である。
【００２３】
ワイヤレス信号を直交化または疑似直交化するためにワイヤレスネットワークが利用する１つの機構は、Ｃｈｕ系列を用いることである。Ｃｈｕ系列は、無線信号に適用でき、結果として、実質的に一定の振幅信号をもたらす複素数値計算系列（ｃｏｍｐｌｅｘ−ｖａｌｕｅｄ  ｍａｔｈｅｍａｔｉｃａｌ  ｓｅｑｕｅｎｃｅ）である。さらに、受信機によって受信されるとき、Ｃｈｕ系列および無線信号の巡回シフトされたバージョンは、疑似直交である。シフトされていない、生成されたＣｈｕ系列は、ルート系列である。本明細書で説明されるように、１つもしくは複数の系列、１つもしくは複数のルート系列、または１つもしくは複数の巡回シフトを含めて、Ｃｈｕ系列のセットの様々なサブセットをアクセスチャネル上でワイヤレス通信装置１００によるノイズ推定に用いることが可能である。
【００２４】
ワイヤレス通信装置１００は、ノイズ推定装置１０４と通信可能に結合された、ワイヤレスネットワークの基地局１０２を備えることが可能である。基地局１０２は、３ＧＰＰ  ＬＴＥネットワーク、もしくはその他の周波数分割多元接続ネットワーク（ＦＤＭＡネットワーク）、または類似のネットワークなど、ワイヤレスネットワークのアクセスポイントであり得る点を理解されたい。さらに、基地局１０２は、アップリンク上またはダウンリンク上でシングルキャリア周波数またはマルチキャリア周波数を用いることが可能である。
【００２５】
３ＧＰＰ  ＬＴＥでは、例えば、ＰＲＡＣＨは、同じルート系列内の有利な相関性質およびゼロ（すなわち、実質的にゼロ）相関により、Ｃｈｕ系列を用いる。（例えば、基地局１０２のワイヤレス信号範囲内の）隣接セルは、セル間干渉を緩和するために、異なるルート系列を用いることが可能である。Ｃｈｕ系列を用いて送信された信号をフィルタリングするために、基地局１０２は、信号を受信して、抽出されてダウンサンプリングされた受信信号の時間領域バージョンから巡回プレフィックスを除去する。信号サンプルは、（オプションで、例えば、高いドップラー状態を補正するために、複数の時間領域サンプルを備える複数のセグメントが生成されるマルチセグメント処理を用いて）周波数領域に変換されて、その周波数領域内で生成されたＣｈｕ系列と整合される。整合された出力シンボルは、ルート系列内の（本明細書において、エネルギーメトリックとも呼ばれる）エネルギー相関メトリック(energy correlation metrics)を取得するために、時間領域に変換し戻される。一般に、（低いドップラー状態および小さない周波数オフセット状態の場合）ルート系列ごとに単一の巡回相互相関(cyclic cross-correlation)が取得されるが、マルチセグメント処理の場合、ルート系列ごとに複数の巡回相互相関を取得することも可能である。受信信号を推定するために、巡回相互相関から取得されたエネルギーレベルを使用することが可能である。下で説明されるように、送信されたアクセス信号に依存せずに、アクセスチャネルノイズを推定するために、それに関して有効アクセス信号が予想されない様々な未使用の信号次元を用いることが可能である。
【００２６】
ノイズ推定装置１０４は、基地局１０２によって用いられるアップリンクチャネル（例えば、ＰＲＡＣＨ）上でアップリンクワイヤレス信号を受信するための通信インターフェース１０６を備えることが可能である。主題開示の一態様では、通信インターフェース１０６は、基地局１０２の送受信チェーンを備えることが可能である（例えば、下の図８を参照されたい）。主題開示の他の態様では、通信インターフェース１０６は、代わりに、基地局１０２の送受信チェーンと通信して、例えば、基地局１０２からアップリンクワイヤレス信号を受信するのに適した電子通信インターフェースを備えることが可能である。
【００２７】
前述の説明に加えて、ノイズ推定装置１０４は、アップリンクワイヤレス信号伝送に関するノイズを推定するように構成された命令を格納するためのメモリ１０８と、それらの命令をインプリメントするモジュールを実行するためのデータプロセッサ１１０とを備えることが可能である。これらのモジュールは、例えば、アップリンクチャネル上の未使用の信号次元のセットを識別する基準モジュールを含むことが可能である。前述の説明に加えて、ノイズ推定装置１０４は、未使用の信号次元のセットに関して受信されたエネルギーを測定して、アップリンクワイヤレス信号に関するノイズの推定を計算する計算モジュール１１６を備えることが可能である。
【００２８】
様々な適切なネットワークプロトコルに従って、基準モジュール１１２によって、ノイズ推定に関して未使用の信号次元を識別することが可能である。例えば、基地局１０２によって用いられるチャネルに信号次元を割り当てる（図示されないが、メモリ１０８内に格納されることも可能な）プロトコルに基づいて、未使用の信号次元をメモリ１０８内に格納された信号系列１１４のセットから抽出することが可能である。詳細には、プロトコルによって割り当てられていない信号次元を基準モジュール１１２によって用いることが可能である。一事例では、未使用の信号次元のセットは、ノイズ推定装置１０４と基地局１０２とによってサービス提供される地理的領域内の少なくともアップリンク信号の伝送のために用いられないコード系列のセットを備えることが可能である。一例では、これらのコード系列は、Ｃｈｕ系列のサブセットであってよく、または少なくともアップリンク信号に直交性または疑似直交性を提供するために用いられない１つもしくは複数のルート系列であってもよい。別の事例では、未使用の信号次元のセットは、一部、基地局１０２によって用いられるＣｈｕ系列のセットの未使用の巡回シフトを備えることが可能である。さらに別の例として、未使用の信号次元のセットは、その地理的領域内で、または基地局１０２の信号範囲内でアップリンク信号伝送を生成するために用いられないルート系列の巡回シフトのセットを備えることが可能である。この後者の場合、基準モジュール１１２は、未使用のルート系列の巡回シフトから未使用の信号次元のセットを識別して、計算モジュール１１６は、未使用のルート系列の巡回シフトごとにエネルギーメトリックのセットを取得して、ノイズの推定を計算するために、そのエネルギーメトリックのセットを平均化する(averages)。
【００２９】
図２は、本主題開示のさらなる態様による、１つの例示的なノイズ推定装置２００のブロック図を示す。本主題開示の少なくともいくつかの態様では、ノイズ推定装置２００は、上の図１のノイズ推定装置１０４に実質的に類似してよい。しかし、本主題開示はそのように限定されない。本明細書および以下に説明されるように、ノイズ推定装置２００は、ノイズ推定装置１０４の特徴のうちのいくつかまたはすべて、ならびに追加の特徴を備えることが可能である。
【００３０】
ノイズ推定装置２００は、ワイヤレス信号を受信するように構成された受信機モジュール２０２を備えることが可能である。詳細には、受信機モジュール２０２は、ワイヤレスネットワークのＰＲＡＣＨに関連するアクセスチャネルリソース（例えば、ランダムアクセスプローブ信号に関して指定された時間周波数リソース）を識別して、そのＰＲＡＣＨ上で観察された信号エネルギーを受信して、ダウンサンプリングするように構成可能である。加えて、ノイズ推定装置２００は、ＰＲＡＣＨ上のノイズを推定するように構成された命令またはプロトコルを格納するためのメモリ２０４と、ノイズ推定装置２００の特徴をインプリメントするために、ノイズ推定装置２００の１つまたは複数のモジュールを実行するデータプロセッサ２０６とを備えることが可能である。詳細には、メモリ２０４内に格納された信号系列２１０から未使用の信号次元セットを識別するために基準モジュール２０８を実行することが可能である。これらの未使用の信号次元は、系列、ルート系列、あるいはノイズ推定装置２００によってサービス提供される領域内またはノイズ推定装置２００と結合された基地局の信号範囲内で用いられない１つもしくは複数の系列の巡回シフトであってよい。これらの信号次元は未使用であるため、ノイズ推定装置２００は、ＰＲＡＣＨ上のこれらの信号次元に従って観察されたエネルギーはノイズであると考えることがきる。
【００３１】
識別すると、基準モジュール２０８は、未使用の信号次元を計算モジュール２１２に提供する。計算モジュール２１２は、未使用の信号次元のセットに関して受信されたエネルギーを測定するハードウェア信号プロセッサ２１４を備える。ＰＲＡＣＨ上のノイズを推定するために、受信されたエネルギーを用いることが可能である。一事例では、ノイズの推定は、ハードウェア信号プロセッサ２１４によって実行可能である。別の事例では、ノイズの推定は、ハードウェア、ソフトウェア、ファームウェア、またはそれらの適切な組合せを備えることが可能な処理モジュール２１８によって実行可能である。ハードウェア信号プロセッサ２１４によって実行されるノイズ推定は、複数の巡回シフトの複数のエネルギーレベルを平均化することによって、ノイズの改善された精度を提供できる。処理モジュール２１８によって実行されるノイズ推定は、若干のハードウェア変更を伴ってまたは全く伴わずに、そして、再構成のための最小時間を伴って（例えば、基地局の）既存の受信機デバイスに適合可能なノイズ推定装置２００のハードウェアに対する若干の変更で、または変更を全く伴わずに、ノイズ推定を提供することが可能である。
【００３２】
本主題開示の一態様では、基準モジュール２０８によって提供された未使用の信号次元のセットの未使用の信号次元のサブセットに関して受信された信号エネルギーのメトリックを測定することによってノイズの推定を計算するためのハードウェア信号プロセッサ２１４を用いることが可能である。ノイズ推定の１つの説明のための実施例として、ハードウェア信号プロセッサ２１４は、未使用の信号次元のサブセットのそれぞれの未使用の信号次元に関する次元メトリックを生成する。これらの次元メトリックを生成した後で、ハードウェア信号プロセッサ２１４は、未使用の信号次元のサブセットの集約されたメトリックを導出するために、それぞれの次元メトリックに関して統計的計算を実行する。少なくとも１つの特定の態様では、統計的計算は、次元メトリックの平均 (an average of the dimension metrics)、次元メトリックの平均値(a mean of the dimension metrics)、次元メトリックのモード(a mode of the dimension metrics)などであってよく、またはそれらの適切な組合せであってもよい。生成されると、ハードウェア信号プロセッサ２１４は、メモリ２０４内のノイズファイル２２０の推定内に格納され得る、ノイズの推定に関して集約されたメトリックを用いる。ハードウェア信号プロセッサ２１４は未使用の信号次元のサブセットに関するエネルギーレベルを直接的に観察するため、ハードウェア信号プロセッサ２１４によって生成されたノイズの推定を、複数の信号次元を通して平均化して、例えば、結果として、より高い精度推定をもたらすことが可能である。
【００３３】
本主題開示の別の態様では、ノイズの推定を計算するために、処理モジュール２１８を用いることが可能である。この態様の１つの説明のための実施例では、処理モジュール２１８は、ノイズの推定を計算するために、メモリ２０４内に格納された信号処理フォーミュラ２１６を用いる。一事例では、ノイズのこの推定は、巡回シフトエネルギーメトリックのセットからハードウェア信号プロセッサ２１４によって出力された最高エネルギーメトリックに基づくことが可能である（例えば、未使用の信号次元は、少なくとも一部、地理的領域内の信号伝送のために用いられる、（１つもしくは複数の）Ｃｈｕ系列または（１つもしくは複数の）ルート系列の未使用の巡回シフトのセットを備える）。この場合、ノイズの推定に関して、最高エネルギーメトリックを直接的に用いることが可能である。さらに別の事例では、ノイズのこの推定は、未使用の信号次元のセットに関して受信されたエネルギーの集約測定値から計算できる。この後者の事例では、未使用の信号次元のセットは、その地理的領域（もしくは、隣接領域）内またはノイズ推定装置２００に関連する基地局のワイヤレス範囲内で利用されていないＣｈｕ系列のセット、あるいはルート系列のセットから導出可能である。ハードウェア信号プロセッサ２１４は、処理モジュール２１８によって受信されるＣｈｕ系列またはルート系列のセットのそれぞれの系列に関して少なくとも１つ、最高エネルギーメトリックのセットを出力する。信号処理フォーミュラ２１６は、次いで、未使用の信号次元のセットに関連して受信されたエネルギーメトリックのセットの平均（または、その他の適切な統計的計算）を行なう。さらに、処理モジュール２１８は、メモリ２０４内のノイズファイル２２０の推定内に保存可能な、ノイズの推定に関して受信されたエネルギーメトリックのセットの平均(the average of the set of received energy metrics for the estimate of noise)を用いる。
【００３４】
決定されると、ノイズ推定装置２００に結合された基地局（図示せず）にノイズの推定を提供することが可能である。ノイズのこの推定は、ＰＲＡＣＨに関するＦＡしきい値を確立するために利用可能である。したがって、ＦＡしきい値よりも高い信号エネルギーレベルは、有効アクセスプローブ要求と見なされ、ＦＡしきい値よりも低い信号エネルギーは、無効アクセスプローブ要求、すなわちノイズと見なされる。
【００３５】
図３は、ワイヤレスネットワークのセル内のノイズを推定するために、未使用の信号次元として少なくとも一部用いることができるコード系列３００の図を例示する。詳細には、コード系列３００は、「Ｙ」個のＣｈｕ系列のセットを備えることが可能であり、この場合、「Ｙ」は正の整数である。本主題開示の少なくとも１つの態様では、Ｙ＝６４個のＣｈｕ系列であるが、本発明の様々な態様では、より多くのＣｈｕ系列またはより少ないＣｈｕ系列を用いることが可能である。示されるように、コード系列３００は、（集合的に、ルート系列３０２Ａ〜３０２Ｃと呼ばれる）ルート系列１  ３０２Ａ、ルート系列２  ３０２Ｂ、ルート系列Ｙ  ３０２Ｃまでを備えるＹ個のルート系列のセットを備える。ルート系列３０２Ａ〜３０２Ｃは、それぞれ、複素数値Ａ1、2、...X、Ｂ1、2、...X、．．．Ｃ1、2、...Xの素数（例えば、２、３、５、７、１１など）「Ｘ」を備えるプライム系列である。少なくとも１つの態様では、Ｘは８３９であってよいが、本主題開示はそのように限定されない。さらに、別の態様では、系列３０２Ａ〜３０２Ｃは、異なる素数値、例えば、Ｘ、Ｎ、およびＯを備えることが可能であり、この場合、ＮおよびＯは、Ｘとは異なる素数である。
【００３６】
ルート系列３０２Ａ、３０２Ｂ、３０２Ｃごとに合計Ｘ個の系列に関して、Ｘ−１回シフトされた系列に、ルート系列を加えた系列を生成するために、それぞれのルート系列３０２Ａ〜３０２Ｃを「Ｘ−１」回、巡回シフトすることが可能である。詳細には、ルート系列３０２Ａは、合計でＸ個の系列に関して、ルート系列１  ３０２Ａ、巡回シフト系列１  ３０４Ｂ、巡回シフト系列２  ３０４Ｃ、巡回シフト系列Ｘ−１  ３０４Ｄまでを備える。本明細書で説明されるように、ワイヤレス信号に関する疑似直交信号次元を生成するために、異なるルート系列３０２Ａ〜３０２Ｃとその巡回シフトされた系列（例えば、ルート系列３０２Ａの巡回シフトされた系列３０４Ｂ〜３０４Ｄ）とを用いることが可能である。さらに、対応するルート系列またはそのルート系列のその他の巡回シフトが信号伝送に使用されている場合ですら、本明細書で説明されるように、信号の伝送に割り当てられていないルート系列（例えば、ルート系列１  ３０２Ａ）の巡回シフト（例えば、巡回シフト系列２  ３０４Ｃ）をノイズ推定に関する未使用の信号次元３０６として用いることが可能である。
【００３７】
加えて、本主題開示のいくつかの態様では、１つまたは複数のルート系列をノイズ推定に関して予約することが可能である。これらの態様では、（１つまたは複数の）ルート系列、ならびにその巡回シフトされた変形形態を未使用の信号次元に関して用いることが可能である。ルート系列のセットを用いることの１つの利点は、従来の受信機ハードウェアは、それぞれのルート系列に関してエネルギーメトリックを出力できる点である。複数のルート系列がノイズ推定に関して予約される場合、複数のエネルギーメトリック（ルートごとに１つ）が従来の受信機ハードウェアによって出力され、ルート系列ごとにこれらのエネルギーメトリックが、ソフトウェア内で平均されることを可能にし、従来の受信機への限定された変更で、改善されたノイズ推定を提供する。あるいは、適切に構成された受信機ハードウェアは、予約されたルート系列ごとに、それぞれの巡回シフトに関してエネルギーメトリックを平均し、結果として、幅広い信号次元の全体にわたって平均をもたらすことができる。この適切に構成された受信機ハードウェアは、したがって、ノイズの非常に正確な推定を提供できる。本主題開示のさらにその他の態様によれば、Ｃｈｕ系列３０２のセットをノイズ推定に関して予約することが可能であり、この場合、Ｃｈｕ系列のセット３０２のそれぞれのルート系列および巡回シフトされた系列を、エネルギーメトリック平均化のために用いることが可能である。下の表１は、様々な巡回シフト構成ＮCSに関する未使用の巡回シフト次元の例を示す、いくつかの３ＧＰＰ  ＬＴＥ標準に関して用いられる、１つの例示的な巡回シフト構成を示す。
【表１】
0005908399.tif 000002
【００３８】
図４は、本主題開示のさらなる態様による、基地局４０２を備えた１つの例示的なワイヤレス通信システム４００のブロック図を示す。基地局４０２は、ワイヤレスネットワークの獲得を試みているＵＥ４０４にセルアクセスを提供するように構成可能である。詳細には、基地局４０２は、ネットワークアクセス要求に関して基地局４０２によって用いられるＰＲＡＣＨチャネルに関するノイズ推定を提供するように構成可能である。ＰＲＡＣＨチャネルは、例えば、ランダムアクセス要求専用のワイヤレスネットワーク、または（１つもしくは複数の）ＵＥ４０４によって、ランダムアクセス要求に関して用いられるワイヤレスネットワークの時間周波数リソースのセットを備えることが可能である。詳細には、ノイズ推定は、ＰＲＡＣＨチャネルに関連する未使用の信号次元に関するエネルギーメトリックに基づくことが可能である。本明細書で示されるように、基地局４０２は、従来の信号受信機に最小変更／費用効果変更の間の兼ね合いを提供して、ノイズの高い精度推定を提供するために、ハードウェア、ソフトウェア、またはそれらの組合せの中でノイズ推定をインプリメントできる。
【００３９】
基地局４０２（例えば、アクセスポイント、．．．）は、１本または複数の受信アンテナ４０６を介して（１つまたは複数の）ＵＥ４０４からワイヤレス信号を取得する受信機４１０と、（１本または複数の）送信アンテナ４０８を介して変調器４２８によって提供された、符号化された／変調されたワイヤレス信号を（１つまたは複数の）ＵＥ４０４に送る送信機４３０とを備えることが可能である。（１本または複数の）受信アンテナ４０６と（１本または複数の）送信アンテナ４０８とは、受信機４１０および送信機４３０と共に、本明細書で説明されるように、（１つまたは複数の）ＵＥ４０４とワイヤレスデータ交換をインプリメントするためのワイヤレストランシーバのセットを備えることが可能である。
【００４０】
受信機４１０は、受信アンテナ４０６から情報を取得することが可能であり、（１つまたは複数の）ＵＥ４０４によって送信されたアップリンク信号を受信する信号受信者（図示せず）をさらに備えることが可能である。加えて、受信機４１０は、受信された情報を復調する復調器４１２と動作可能に関連付けられる。復調されたシンボルは、データプロセッサ４１４によって解析される。データプロセッサ４１４は、基地局４０２によって提供またはインプリメントされる機能に関係する情報を格納するメモリ４１６に結合される。
【００４１】
前述の説明に加えて、基地局４０２は、ノイズ推定装置４１８を備えることが可能である。本主題開示の１つまたは複数の態様によれば、ノイズ推定装置４１８は、図１のノイズ推定装置１０４、もしくは図２のノイズ推定装置２００、またはそれらの組合せに実質的に類似してよい。しかし、ノイズ推定装置４１８は、これらの態様に限定されない点を理解されたい。動作中、ノイズ推定装置４１８は、（１つもしくは複数の）ＵＥ４０４に対するダウンリンク上の信号伝送、または（１つもしくは複数の）ＵＥ４０４からのアップリンク上の信号伝送のために基地局４０２によって用いられるコード系列の少なくとも１つのサブセットから未使用の信号次元のセットを識別する基準モジュール４２０を備えることが可能である。詳細には、未使用の信号次元のセットは、ノイズ推定に関して予約されたＣｈｕ系列のセット、または１つもしくは複数のＣｈｕ系列のルート系列のセットを備えることが可能である。この（１つまたは複数の）系列／（１つまたは複数の）ルート系列の巡回シフトは、（１つまたは複数の）ＵＥ４０４に関して用いられるＰＲＡＣＨに関連する時間周波数リソースのエネルギーメトリックを用いる計算モジュール４２２によって解析可能である。一事例では、計算モジュール４２２は、これらのエネルギーメトリックを取得して、ＰＲＡＣＨ上のノイズを計算するために、ハードウェアプロセッサ４２４を用いる。別の事例では、計算モジュール４２２は、ハードウェアプロセッサ４２４によって出力された１つまたは複数のエネルギーメトリックからのノイズを推定するために、ソフトウェア処理モジュール４２６を用いる。エネルギーメトリック、またはその統計的平均化に基づいて、ＰＲＡＣＨに関するノイズの推定を生成することが可能である。一例として、未使用の信号次元のセットは、ルート系列の１つまたは複数の未使用の巡回シフトを備えることが可能である。ハードウェアプロセッサ４２４によって解析された場合、ＰＲＡＣＨに関するノイズを推定するために、これらの未使用の巡回シフトに関連するエネルギーメトリックは平均化されることができる。ソフトウェア処理モジュール４２６によって解析された場合、代わりに、ハードウェアプロセッサ４２４によって出力されたルート系列に関する最高エネルギーメトリックをノイズの推定に関して用いることが可能である。
【００４２】
前述のシステムまたは装置は、いくつかの構成要素、モジュール、および／または通信インターフェースの間の相互作用に関して説明されている。そのようなシステム、および構成要素／モジュール／インターフェースは、その中に指定されたそれらの構成要素／モジュールもしくはサブモジュール、指定された構成要素／モジュールもしくはサブモジュールのうちのいくつか、および／または追加のモジュールを含むことが可能である点を理解されたい。例えば、ワイヤレス通信システムは、ノイズ推定装置２００に結合された基地局１０２、またはこれらのエンティティもしくはその他のエンティティの異なる組合せを含むことが可能である。親モジュール内に含まれるのではなく、他のモジュールに通信可能に結合されたモジュールとして、サブモジュールはインプリメントされることもできる。加えて、１つまたは複数のモジュールを、集約機能性を提供している単一のモジュールに組み込むことも可能である点に留意されたい。例えば、基準モジュール１１２は、単一の構成要素によって、未使用の信号次元を識別して、チャネルノイズ推定に関してそれらの次元を用いることを容易にするために、計算モジュール１１６を含んでよく、またはその逆も同様である。構成要素は、本明細書に詳細に説明されないが、当業者によって知られている１つまたは複数の他の構成要素と相互に作用することも可能である。
【００４３】
さらに、理解されるように、上で開示されたシステムおよび下の方法の様々な部分は、人工知能もしくは知識または規則をベースとする構成要素、サブ構成要素、プロセス、手段、方法(methodologies)、あるいは機構（例えば、サポートベクターマシン、ニューラルネットワーク、エキスパートシステム、ベイジアンビリーフネットワーク、ファジー論理、データフュージョンエンジン、分類機．．．）を含んでよく、またはそれらからなってもよい。そのような構成要素は、とりわけ、本明細書ですでに説明された構成要素に加えて、システムおよび方法の一部をより適応させると同時に、効率的かつ知的にするために、それらの構成要素によって実行されるある種の機構またはプロセスを自動化することが可能である。
【００４４】
上で説明された例示的なシステムに照らして、開示された主題に従ってインプリメントされることができる方法が、図５〜６Ａの流れ図を参照してより良好に理解されよう。説明を簡単にするために、これらの方法は、一連のブロックとして示され、説明されるが、いくつかのブロックは、本明細書で示され、説明されるのと異なる順序で、かつ／または本明細書で示され、説明されるのとは別のブロックと同時に発生する可能性があるため、特許請求される主題はこれらのブロックの順序によって限定されない点を理解および認識されたい。さらに、すべての例示されるブロックが、以下で説明される方法をインプリメントするために必要とされるとは限らない。加えて、以下で、および本明細書の全体にわたって開示される方法は、そのような方法をコンピュータに移送することおよび転送することを容易にするために、製品上に格納されていることが可能である点をさらに理解されたい。使用される、製品という用語は、任意のコンピュータ可読デバイスから、キャリアと共にデバイスから、または記憶媒体からアクセス可能なコンピュータプログラムを包含することが意図される。
【００４５】
図６は、本主題開示の１つまたは複数の態様による、１つの例示的な方法５００の流れ図を示す。５０２において、方法５００は、ワイヤレスネットワークプロトコルに従って、ランダムアクセスプローブに関する時間周波数リソースのセットを識別することを備え得る。５０４において、方法５００は、ワイヤレスネットワークの許可されたランダムアクセスプローブ次元に対して直交または疑似直交な少なくとも１つの未使用の次元を識別することを備え得る。５０６において、方法５００は、未使用の次元の解析に基づいて、ランダムアクセスプローブに関するノイズを推定することをさらに備え得る。
【００４６】
本主題開示の特定の態様によれば、少なくとも１つの未使用の次元を識別することは、未使用の次元に関してルート系列（例えば、ランダムアクセスプローブに関して疑似直交性を提供する系列）の未使用の巡回シフトを用いることをさらに備えることが可能であり、このルート系列は、許可されたランダムアクセスプローブ次元のセットを提供する。この態様の１つのオプションでは、少なくとも１つの未使用の次元を識別することは、未使用の次元に関してルート系列の未使用の巡回シフトのセットを用いることをさらに備え得る。
【００４７】
前述の説明の代替案として、少なくとも１つの未使用の次元を識別することは、未使用の次元に関してルート系列の未使用の系列を用いることをさらに備え得る。この後者の態様によれば、方法５００は、ノイズを推定するために、ハードウェア信号プロセッサ内で未使用の系列をインプリメントすることをさらに備え得る。さらに、副態様によれば、方法５００は、未使用の系列内のシフトごとにエネルギーメトリックを導出することと、エネルギーメトリックを平均すること(performing an average of the energy metrics)とを備えることが可能であり、ノイズの推定は、エネルギーメトリックの平均(the average of the energy metrics)から取得される。この副態様に対する代替案として、方法５００は、代わりに、ノイズを推定するために、未使用の系列をソフトウェア信号処理アルゴリズム内でインプリメントすることを備え得る。この代替案の場合、方法５００は、未使用の次元に関して用いられる未使用の系列のセットからエネルギーメトリックのセットを導出することをオプションで備えることが可能であり、ノイズを推定することは、エネルギーメトリックのセットを平均化すること(averaging)をさらに備える。本主題開示のもう１つの態様では、方法５００は、未使用の次元に関する未使用のルート系列を用いることを備え得る。このもう１つの態様では、方法５００は、未使用のルート系列の巡回シフトごとにエネルギーメトリックのセットを導出することと、ノイズを推定するために、エネルギーメトリックのセットを平均化することとをさらに備え得る。
【００４８】
説明されたように、方法５００は、ワイヤレスネットワーク内のノイズ推定にかなりの利益を提供できる。例えば、未使用の信号次元を用いることは、アクセスチャネル上のノイズから送信デバイスの実際の信号伝送を分離する必要を軽減することが可能である。さらに、様々な態様は、複数の信号次元の全体にわたる高精度推定のために受信機ハードウェア内でノイズの推定を実現するか、または最小のコストもしくは更新時間を伴って、従来のワイヤレス受信機にノイズ推定を提供するために、ソフトウェア内でノイズの推定を行う。
【００４９】
図６および６Ａは、本主題開示の追加の態様による１つのサンプル方法６００の流れ図を示し、この場合、サンプル方法６００Ａは、サンプル方法６００の一部を指す。６０２において、方法６００は、ワイヤレスネットワークに関する目前の（ｉｍｐｅｎｄｉｎｇ）ＰＲＡＣＨタイムスロットを識別することを備え得る。６０４において、方法６００は、目前のＰＲＡＣＨタイムスロットに関するノイズ推定に関して未使用の信号次元を識別するために、ワイヤレスネットワークのプロトコルを用いることを備え得る。６０６において、方法６００は、未使用の信号次元を生成するために、複数の系列が用いられるか、単一の系列が用いられるかに関して決定することを備え得る。複数の系列が用いられる場合、方法６００は図６Ａの６０２Ａに進むことができる。そうでない場合、方法６００は６０８に進むことができる。
【００５０】
６０８において、方法６００は、未使用の信号次元に関して用いられる単一の系列の未使用の巡回シフトのセットのエネルギーメトリックを推定することを備え得る。６１０において、方法６００は、未使用の巡回シフトに関するノイズの推定がハードウェアモジュール内で実行されるか、またはソフトウェアモジュール内で実行されるかを決定することを備え得る。ハードウェア推定の場合、方法６００は６１２に進むことができる、そうでない場合、方法６００は６１６に進む。
【００５１】
６１２において、方法６００は、未使用の巡回シフトのセットのエネルギーメトリックを平均化することを備え得る。６１４において、方法６００は、平均エネルギーメトリックのエネルギーレベルを測定することを備え得る。６１４から、方法６００は６２０に進むことが可能であり、この場合、方法６００は、ＰＲＡＣＨに関するＦＡしきい値を確立するために、測定されたエネルギーレベルを用いることが可能である。
【００５２】
６１６において、方法６００は、系列に関する最高エネルギー推定を出力することを備え得る。６１８において、方法６００は、出力された最高エネルギー推定のエネルギーレベルを測定することを備え得る。６１８から、方法６００は６２０に進むことができ、この場合、測定されたエネルギーレベルは、ＰＲＡＣＨに関するＦＡしきい値を確立するために用いられる。
【００５３】
次に図６Ａを参照すると、方法６００は、６０２Ａにおいて、未使用の信号次元に関して用いられる複数の系列のそれぞれの系列の巡回シフトのエネルギーレベルを測定することを備え得る。６０４Ａにおいて、方法６００は、ノイズの推定がハードウェアモジュール内でインプリメントされるか、またはソフトウェアモジュール内でインプリメントされるかを決定することを備え得る。ハードウェアモジュールの場合、方法６００は６０６Ａに進むことができ、そうでない場合、方法６００は６１２Ａに進む。
【００５４】
６０６Ａにおいて、方法６００は、巡回シフトごとに、複数の系列のそれぞれの系列の巡回シフトエネルギー推定を平均化することを備え得る。６０８Ａにおいて、方法６００は、複数の系列を通してエネルギーメトリックを平均化することを備え得る。加えて、６１０Ａにおいて、方法６００は、巡回シフトの全体にわたって、そして、それぞれの系列にわたって平均化されたエネルギーメトリックを測定することを備え得る。６１０Ａから、方法６００は６１８Ａに進むことができ、測定されたエネルギーは、ＰＲＡＣＨに関するＦＡしきい値を確立するために用いられる。
【００５５】
６１２Ａにおいて、方法６００は、それぞれの系列の巡回シフトのそれぞれのエネルギーメトリック間の系列ごとに最高エネルギーメトリックを出力することを備え得る。さらに、６１４Ａにおいて、方法６００は、それぞれの系列間の出力された最高エネルギーメトリックを平均化することを備え得る。６１６Ａにおいて、方法６００は、平均化された出力された最高エネルギーメトリックを測定することを備えることが可能であり、６１８Ａにおいて、方法６００は、ＰＲＡＣＨに関するＦＡしきい値を確立するために、測定されたエネルギーを用いることを備え得る。
【００５６】
図７は、本主題開示の態様による、ワイヤレス通信におけるアクセスチャネルノイズ推定をインプリメントするための１つの例示的な装置７００を示す。例えば、装置７００は、ワイヤレス通信ネットワーク内および／またはノード、基地局、アクセスポイント、ユーザ端末、モバイルインターフェースカードと結合されたパーソナルコンピュータなど、ワイヤレス受信機内に少なくとも一部常駐することが可能である。装置７００は、プロセッサ、ソフトウェア、またはそれらの組合せ（例えば、ファームウェア）によってインプリメントされる機能を表す機能ブロックであり得る機能ブロックを含むものとして表される点を理解されたい。
【００５７】
装置７００は、装置７００の機能を提供するように構成されたモジュールまたは命令を格納するためのメモリ７０２と、それらの機能をインプリメントするモジュールを実行するためのデータプロセッサ７１０とを備え得る。詳細には、装置７００は、ワイヤレスネットワークプロトコルに従って、アップリンクランダムアクセス要求に提供される時間周波数リソースを識別するためのモジュール７０４を備えることが可能である。さらに、装置７００は、時間周波数リソース上で許可されたランダムアクセス次元に対して直交または疑似直交であり、そして、その装置によってサービス提供される地理的領域内の時間周波数リソース上のアップリンク伝送に割り当てられていない、信号次元を識別するためのモジュール７０６をさらに備えることが可能である。さらに、装置７００は、信号次元の解析に基づいて、時間周波数リソースに関するノイズを推定するためのモジュール７０８を備えることも可能である。
【００５８】
図８は、本明細書で開示されるいくつかの態様に従って、ワイヤレス通信を容易にすることが可能な１つの例示的なシステム８００のブロック図を示す。ＤＬ上で、アクセスポイント８０５において、送信（ＴＸ）データプロセッサ８１０は、トラフィックデータを受信、フォーマット、符号化、インタリーブ、および復調（または、シンボルマップ）して、変調シンボル（「データシンボル」）を提供する。シンボル変調器８１５は、データシンボルとパイロットシンボルとを受信して、それらを処理して、シンボルのストリームを提供する。シンボル変調器８１５は、データシンボルとパイロットシンボルとを多重化して、それらを送信機ユニット（ＴＭＴＲ）８２０に提供する。それぞれの送信シンボルは、データシンボル、パイロットシンボル、またはゼロの信号値であってよい。これらのパイロットシンボルをそれぞれのシンボル期間内で連続的に送ることが可能である。これらのパイロットシンボルを、周波数分割分割多重すること（ＦＤＭ）、直交周波数分割多重すること（ＯＦＤＭ）、時分割多重すること（ＴＤＭ）、符号分割多重すること（ＣＤＭ）、あるいはそれらの適切な組合せ、または類似の変調技法および／もしくは送信技法が可能である。
【００５９】
ＴＭＴＲ８２０は、シンボルのストリームを受信して、それを１つまたは複数のアナログ信号に変換し、ワイヤレスチャネル上での伝送に適したＤＬ信号を生成するために、それらのアナログ信号をさらに条件付け（例えば、増幅、フィルタリング、および周波数アップコンバート）する。ＤＬ信号は、次いで、アンテナ８２５を介して、端末に送信される。端末８３０において、アンテナ８３５は、ＤＬ信号を受信して、受信信号を受信機ユニット（ＲＣＶＲ）８４０に提供する。受信機ユニット８４０は、受信信号を条件付け（例えば、フィルタリング、増幅、および周波数ダウンコンバート）して、サンプルを取得するために、条件付けされた信号をデジタル化する。シンボル復調器８４５は、受信されたパイロットシンボルを復調して、チャネル推定のために、それらをプロセッサ８５０に提供する。シンボル復調器８４５は、プロセッサ８５０からＤＬに関する周波数応答推定をさらに受信して、（送信されたデータシンボルの推定である）データシンボル推定を取得するために、受信されたデータシンボルに関してデータ復調を実行し、送信されたトラフィックデータデータを回復するために、データシンボル推定を復調（例えば、シンボルデマップ）、ディインタリーブ、および復号するＲＸデータプロセッサ８５５にデータシンボル推定を提供する。シンボル復調器８４５およびＲＸデータプロセッサ８５５による処理は、それぞれ、アクセスポイント８０５における、シンボル変調器８１５およびＴＸデータプロセッサ８１０による処理に対して補完的である。
【００６０】
ＵＬ上で、ＴＸデータプロセッサ８６０は、トラフィックデータを処理して、データシンボルを提供する。シンボル変調器８６５は、データシンボルを受信して、パイロットシンボルを用いて多重化し、変調を実行して、シンボルのストリームを提供する。送信機ユニット８７０は、次いで、シンボルのストリームを受信して、アンテナ８３５を介してアクセスポイント８０５に送信されるＵＬ信号を生成するために、そのシンボルのストリームを処理する。詳細には、ＵＬ信号は、ＳＣ−ＦＤＭＡ要件に従ってよく、本明細書で説明される周波数ホッピング機構を含み得る。
【００６１】
アクセスポイント８０５において、端末８３０からのＵＬ信号は、アンテナ８２５によって受信されて、サンプルを取得するために、受信機ユニット８７５によって処理される。シンボル復調器８８０は、次いで、それらのサンプルを処理して、受信されたパイロットシンボルとデータシンボル推定とをＵＬに提供する。ＲＸデータプロセッサ８８５は、端末８３０によって送信されたトラフィックデータを回復するために、そのデータシンボル推定を処理する。プロセッサ８９０は、ＵＬ上で送信しているそれぞれのアクティブな端末に関してチャネル推定を実行する。複数の端末は、そのそれぞれの割り当てられたパイロットサブバンドセット上で、ＵＬ上で同時にパイロットを送信することが可能であり、これらのパイロットサブバンドセットはインターレースされ得る。
【００６２】
プロセッサ８９０および８５０は、それぞれ、アクセスポイント８０５および端末８３０における動作を指令（例えば、制御、調整、管理など）する。それぞれのプロセッサ８９０および８５０は、プログラムコードとデータとを格納するメモリユニット（図示せず）と関連付けることが可能である。データプロセッサ８９０および８５０は、それぞれ、ＵＬおよびＤＬに関して、周波数ベースのインパルス応答推定と時間ベースのインパルス応答推定とを導出するために、計算を実行することも可能である。
【００６３】
多元接続システム（例えば、ＳＣ−ＦＤＭＡ、ＦＤＭＡ、ＯＦＤＭＡ、ＣＤＭＡ、ＴＤＭＡなど）の場合、複数の端末は、ＵＬ上で同時に送信できる。そのようなシステムの場合、パイロットサブバンドは、異なる端末間で共有され得る。これらのチャネル推定技法は、それぞれの端末に関するパイロットサブバンドが（場合によっては、帯域端を除いて）動作帯域全体におよぶ場合に使用できる。そのようなパイロットサブバンド構造は、それぞれの端末に関する周波数ダイバーシティを取得するために望ましいことになる。
【００６４】
本明細書で説明された技法は、様々な手段によってインプリメントされることができる。例えば、これらの技法は、ハードウェアの形で、ソフトウェアの形で、またはそれらの組合せの形でインプリメントされることができる。デジタル、アナログ、またはデジタルとアナログの両方であり得るハードウェアインプリメンテーション(hardware implementation)の場合、チャネル推定に使用される処理ユニットは、本明細書で説明される機能を実行するように設計された、１つまたは複数の特定用途向け集積回路（ＡＳＩＣ）、デジタル信号プロセッサ（ＤＳＰ）、デジタル信号処理デバイス（ＤＳＰＤ）、プログラマグル論理デバイス（ＰＬＤ）、フィールドプログラマブルゲートアレイ（ＦＰＧＡ）、プロセッサ、コントローラ、マイクロコントローラ、マイクロプロセッサ、その他の電子ユニット、またはそれらの組合せの中でインプリメントされることができる。ソフトウェアの場合、インプリメンテーションは、本明細書で説明される機能を実行するモジュール（例えば、手順、機能など）を介してよい。これらのソフトウェアコードは、メモリユニット内に格納可能であり、プロセッサ８９０および８５０によって実行され得る。
【００６５】
図９は、１つまたは複数の態様に関して利用できるような、複数の基地局９１０（例えば、ワイヤレスアクセスポイント、ワイヤレス通信装置）と、複数の端末９２０（例えば、ＡＴ）とを備えたワイヤレス通信システム９００を例示する。基地局９１０は、一般に、それらの端末と通信する固定局であり、アクセスポイント、ノードＢ、またはいくつかのその他の専門用語で呼ばれる場合もある。それぞれの基地局９１０は、図９において、９０２ａ、９０２ｂ、および９０２ｃとラベル付けされた、３つの地理的領域として例示される特定の地理的領域またはカバレッジ領域に通信有効範囲を提供する。「セル」という用語は、その用語が使用される文脈に応じて、基地局またはそのカバレッジ領域を指す場合がある。システム容量を改善するために、ＢＳの地理的領域／カバレッジ領域は、複数のより小さな領域（例えば、図９のセル９０２ａによる、３つのより小さない領域）、すなわち、９０４ａ、９０４ｂ、および９０４ｃに区分化できる。それぞれのより小さな領域（９０４ａ、９０４ｂ、９０４ｃ）は、それぞれのベーストランシーバサブシステム（ＢＴＳ）によってサービス提供され得る。「セクタ」という用語は、その用語が使用される文脈に応じて、ＢＴＳまたはそのカバレッジ領域を指す場合がある。セクタ化されたセルの場合、そのセルのすべてのセクタに関するＢＴＳは、通常、そのセルの基地局内に共同設置される。本明細書で説明された伝送技法は、セクタ化されたセルを伴うシステム、ならびにセクタ化されないセルを伴うシステムに関して使用できる。説明を簡単にするために、主題の説明において、別段の規定がない限り、「基地局」という用語は、一般に、セクタにサービス提供する固定局、ならびにセルにサービス提供する固定局に関して使用される。
【００６６】
端末９２０は、通常、システムを通して分散され、それぞれの端末９２０は、固定であってよく、またはモバイルであってもよい。端末９２０は、移動局、ユーザ機器、ユーザデバイス、ワイヤレス通信装置、アクセス端末、ユーザ端末、またはいくつかのその他の専門用語で呼ばれる場合もある。端末９２０は、ワイヤレスデバイス、セルラ電話、携帯情報端末（ＰＤＡ）、ワイヤレスモデムカードなどであってよい。それぞれの端末９２０は、所与の時点で、ダウンリンク（例えば、ＦＬ）上およびアップリンク（例えば、ＲＬ）上で０個、１個、または複数の基地局９１０と通信できる。ダウンリンクは、基地局から端末への通信リンクを指し、アップリンクは、端末から基地局への通信リンクを指す。
【００６７】
集中型アーキテクチャの場合、システムコントローラ９３０は、基地局９１０に結合して、基地局９１０に調整と制御とを提供する。分散型アーキテクチャの場合、基地局９１０は、必要に応じて、（例えば、基地局９１０を通信可能に結合する有線またはワイヤレスのバックホールネットワークによって）互いと通信することが可能である。順方向リンク上のデータ伝送は、多くの場合、順方向リンクもしくはその通信システムによってサポートされ得る最大データ転送速度でまたは最大データ転送速度に近いデータ転送速度で１つのアクセスポイントから１つのアクセス端末に対して発生する。順方向リンク（例えば、制御チャネル）の追加のチャネルを複数のアクセスポイントから１つのアクセス端末に送信することが可能である。逆方向リンクデータ通信は、１つのアクセス端末から１つまたは複数のアクセスポイントに対して発生し得る。
【００６８】
図１０は、様々な態様による、計画されているか、または計画半ばのワイヤレス通信環境１０００の例である。ワイヤレス通信環境１０００は、ワイヤレス通信信号を受信し、それらのワイヤレス通信信号を相互に、かつ／または１つもしくは複数のモバイルデバイス１００４に送信し、繰り返すなどする１つもしくは複数の基地局１００２を１つもしくは複数のセル内ならびに／あるいは１つもしくは複数のセクタ内に備え得る。例示されるように、それぞれの基地局１００２は、１００６ａ、１００６ｂ、１００６ｃ、および１００６ｄとラベル付けされた、４つの地理的領域として例示される特定の地理的領域に関する通信有効範囲を提供することが可能である。それぞれの基地局１００２は、当業者によって理解されるように、そのそれぞれが、今度は、信号送受信に関連する複数の構成要素（例えば、プロセッサ、変調器、マルチプレクサ、復調器、デマルチプレクサ、アンテナなど、上の図８を参照されたい）を備え得る送信機チェーンと受信機チェーンとを備えことが可能である。モバイルデバイス１００４は、例えば、ワイヤレス通信環境１０００上で通信するためのセルラ電話、スマートフォン、ラップトップ、ハンドヘルド通信デバイス、ハンドヘルトコンピューティングデバイス、衛星無線、全地球測位システム、ＰＤＡ、または任意のその他の適切なデバイスであってよい。ワイヤレス通信環境１０００は、本明細書に記載されるように、ワイヤレス通信において、マルチノードリレー割当てと、セル分割効果とを容易にするために、本明細書で説明された様々な態様に関して用いることが可能である。
【００６９】
本主題開示において使用される場合、「構成要素」、「システム」、「モジュール」などの用語は、コンピュータ関係のエンティティ、すなわち、ハードウェア、ソフトウェア、実行中のソフトウェア、ファームウェア、ミドルウェア、マイクロコード、および／またはそれらの任意の組合せのいずれかを指すことが意図される。例えば、モジュールは、プロセッサ上で実行しているプロセス、プロセッサ、オブジェクト、実行可能物、実行のスレッド、プログラム、デバイス、および／またはコンピュータであってよいが、これらであると限定されない。１つまたは複数のモジュールは、プロセス内または実行のスレッド内に常駐することが可能であり、モジュールは、１つの電子デバイス上に局在化することが可能でありまたは２つ以上の電子デバイス間で分配することも可能である。さらに、これらのモジュールは、様々なデータ構造を格納している様々なコンピュータ可読媒体から実行することが可能である。これらのモジュールは、１つもしくは複数のデータパケット（例えば、ローカルシステム内、分散型システム内の別の構成要素と相互に作用しているか、またはインターネットなど、ネットワークの全域で、信号によって他のシステムと相互に作用している１つの構成要素からのデータ）を有する信号に従ってなど、局所プロセスまたは遠隔プロセスによって通信することが可能である。加えて、本明細書で説明されたシステムの構成要素またはモジュールは、それらの構成要素およびモジュールに関して説明された様々な態様、目標、利益などの達成を促すために再構成することが可能であり、または追加の構成要素／モジュール／システムによって補完することも可能であり、当業者によって理解されるように、所与の図面に記載されたそのままの構成には限定されない。
【００７０】
さらに、本明細書において、様々な態様がＵＥに関して説明されている。ＵＥは、システム、加入者ユニット、加入者局、移動局、モバイル、モバイル通信デバイス、モバイルデバイス、遠隔局、遠隔端末、ＡＴ、ユーザエージェント（ＵＡ）、ユーザデバイス、またはユーザ端末（ＵＴ）と呼ばれる場合もある。加入者局は、セルラ電話、コードレス電話、セッション開始プロトコル（ＳＩＰ）電話、ワイヤレスローカルループ（ＷＬＬ）局、携帯情報端末（ＰＤＡ）、ワイヤレス接続能力を有するハンドヘルドデバイス、または処理デバイスとのワイヤレス通信を容易にするワイヤレスモデムもしくは類似の機構に接続されたその他の処理デバイスであってよい。
【００７１】
１つまたは複数の例示的な実施形態では、説明された機能は、ハードウェア、ソフトウェア、ファームウェア、ミドルウェア、マイクロコード、またはそれらの任意の組合せの形でインプリメントされることができる。ソフトウェアの形でインプリメントされる場合、これらの機能は、コンピュータ可読媒体上の１つもしくは複数の命令またはコードとして格納または送信され得る。コンピュータ可読媒体は、コンピュータ記憶媒体と、ある場所から別の場所へのコンピュータプログラムの転送を容易にする任意の媒体を含む通信媒体の両方を含む。記憶媒体は、コンピュータによってアクセス可能な任意の物理的媒体であってよい。限定ではなく、例として、そのようなコンピュータ可読媒体は、ＲＡＭ、ＲＯＭ、ＥＥＰＲＯＭ、ＣＤ−ＲＯＭもしくはその他の光ディスク記憶装置、磁気ディスク記憶装置もしくはその他の磁気記憶装置、スマートカード、およびフラッシュメモリデバイス（例えば、カード、スティック、キードライブ．．．）、あるいは所望されるプログラムコードを命令もしくはデータ構造の形で搬送または格納するために使用可能であり、コンピュータによってアクセス可能な任意のその他の媒体を含むことが可能である。例えば、ソフトウェアが、同軸ケーブル、光ファイバケーブル、より対線、デジタル加入者線（ＤＳＬ）、もしくは赤外線、無線、およびマイクロ波などのワイヤレス技術を使用して、ウェブサイト、サーバ、またはその他の遠隔ソースから送信される場合、その同軸ケーブル、光ファイバケーブル、より対線、ＤＳＬ、または赤外線、無線、およびマイクロ波などのワイヤレス技術は、媒体の定義の中に含まれる。本明細書で使用される場合、ディスク（Ｄｉｓｋ）およびディスク（ｄｉｓｃ）は、コンパクトディスク（ＣＤ）と、レーザディスクと、光ディスクと、デジタル多用途ディスク（ＤＶＤ）と、フロッピー（登録商標）ディスクと、ブルーレイディスクとを含み、この場合、ディスク（ｄｉｓｋｓ）は、通常、データを磁気的に再生し、一方、ディスク（ｄｉｓｃｓ）は、レーザを用いて、データを光学的に再生する。上記の組合せも、コンピュータ可読媒体の範囲に含まれるべきである。
【００７２】
ハードウェアインプリメンテーションの場合、本明細書で開示された態様に関して説明された処理ユニットの様々な例示的な論理、論理ブロック、モジュール、および回路は、本明細書で説明された機能を実行するように設計された１つもしくは複数のＡＳＩＣ、ＤＳＰ、ＤＳＰＤ、ＰＬＤ、ＦＰＧＡ、ディスクリートゲートまたはトランジスタ論理、ディスクリートハードウェア構成要素、汎用プロセッサ、コントローラ、マイクロコントローラ、マイクロプロセッサ、その他の電子ユニット、あるいはそれらの組合せの中でインプリメントされることができる、あるいは実行されることができる。汎用プロセッサは、マイクロプロセッサであってよいが、代替では、プロセッサは、任意の従来のプロセッサ、コントローラ、マイクロコントローラ、または状態機械であってよい。プロセッサは、コンピューティングデバイスの組合せ、例えば、ＤＳＰとマイクロプロセッサの組合せ、複数のマイクロプロセッサ、ＤＳＰコアと共に１つもしくは複数のマイクロプロセッサ、または任意のその他のかかる構成としてインプリメントされることができる。加えて、少なくとも１つのプロセッサは、本明細書で説明されたステップおよび／または動作のうちの１つもしくは複数を実行するように動作可能な１つもしくは複数のモジュールを備えることが可能である。
【００７３】
さらに、本明細書で説明された様々な態様または特徴は、標準のプログラミング技法および／もしくはエンジニアリング技法を使用して、方法、装置、または製品としてインプリメントされることができる。さらに、本明細書で開示された態様に関して説明された方法またはアルゴリズムのステップおよび／もしくは動作は、ハードウェアの形で直接的に、プロセッサによって実行されるソフトウェアモジュールの形で、またはそれら２つの組合せの形で具現化されることができる。加えて、いくつかの態様では、方法またはアルゴリズムのステップもしくは動作は、コードもしくは命令のうちの少なくとも１つ、または任意の組合せ、あるいはセットとして、コンピュータプログラム製品内に組み込むことが可能な機械可読媒体またはコンピュータ可読媒体上に常駐することが可能である。本明細書で使用される場合、「製品」という用語は、任意の適切なコンピュータ可読デバイスまたはコンピュータ可読媒体からアクセス可能なコンピュータプログラムを包含することが意図される。
【００７４】
加えて、「例示的」という用語は、本明細書において、例、事例、または例示としての役割を果たすことを意味するために使用される。本明細書において、「例示的」として説明される態様または設計は、他の態様もしくは設計に勝って好ましいまたは有利であると解釈されるとは限らない。むしろ、例示的なという用語の使用は、本発明の概念を具体的な形で提示することが意図される。本明細書で使用される場合、「または」という用語は、排他的な「または」ではなく、包括的な「または」を意味することが意図される。すなわち、別段の規定がない限り、または内容から明らかでない限り、「ＸはＡまたはＢを用いる」は、当然の包括的な置換のうちのいずれかを意味することが意図される。すなわち、ＸはＡを用いる、ＸはＢを用いる、またはＸはＡとＢの両方を用いる場合、「ＸはＡまたはＢを用いる」は、前述の事例のうちのいずれかに基づいて満たされる。加えて、本出願および添付の特許請求の範囲において使用される場合、冠詞「ａ」および「ａｎ」は、別段の規定がない限り、または内容から、単数形態を対象とすることが明らかでない限り、一般に、「１つまたは複数の」を意味するように解釈すべきである。
【００７５】
さらに、本明細書で使用される場合、「推論する」または「推論」という用語は、一般に、事象またはデータを介して捕捉される観察のセットから、システム、環境、またはユーザの状態について判断することもしくは推論することのプロセスを指す。推論は、特定の文脈もしくは動作を識別するために用いることが可能であり、または、例えば、状態に対する確率分布を生成することが可能である。推論は、確率的、すなわち、データおよび事象の考慮に基づく、当該状態に対する確率分布の計算であり得る。推論は、事象またはデータのセットからより高いレベルの事象を構成するために用いられる技法を指す場合もある。そのような推論は、結果として、それらの事象が密接な時間的接近性で相関されようとされまいと、それらの事象ならびにデータが１つの事象およびデータソースからであろうと、または複数の事象およびデータソースからであろうと、観察された事象および／または格納された事象データのセットから新しい事象もしくは動作を構築する。上で説明されていることは、特許請求される主題の態様の例を含む。特許請求される主題を説明するために構成要素または方法のすべての考えられる組合せを説明することは当然不可能であるが、当業者は、開示された主題の多くのさらなる組合せおよび置換が可能である点を理解されよう。したがって、開示される主題は、添付の特許請求の趣旨および範囲に該当するすべてのそのような代替形態、修正形態、および改変形態を包含することが意図される。さらに、「含む」、「有する」または「有している」という用語が詳細な説明または特許請求の範囲のいずれかにおいて使用される範囲内で、そのような用語は、「備えている」という用語が特許請求の範囲において移行語(transitional word)として解釈されるように、「備えている」と類似した形で包括的であることが意図される。
以下に、本願出願の当初の特許請求の範囲に記載された発明を付記する。
［Ｃ１］
ワイヤレス通信に関する方法であって、
ワイヤレスネットワークプロトコルに従って、ランダムアクセスプローブに関する時間周波数リソースのセットを識別することと、
許可されたランダムアクセスプローブ次元に対して直交または疑似直交な少なくとも１つの未使用の次元を識別することと、
前記少なくとも１つの未使用の次元の解析に基づいて、前記ランダムアクセスプローブに関するノイズを推定することと、
を備える方法。
［Ｃ２］
前記少なくとも１つの未使用の次元に関してルート系列の未使用の巡回シフトを用いることをさらに備え、前記ルート系列が、許可されたランダムアクセスプローブ次元のセットを提供する、Ｃ１に記載の方法。
［Ｃ３］
前記少なくとも１つの未使用の次元に関してルート系列の未使用の巡回シフトのセットを用いることをさらに備える、Ｃ１に記載の方法。
［Ｃ４］
前記ルート系列は、前記ランダムアクセスプローブに疑似直交性を提供する系列である、Ｃ３に記載の方法。
［Ｃ５］
前記少なくとも１つの未使用の次元に関してルート系列の未使用の系列を用いることをさらに備える、Ｃ１に記載の方法。
［Ｃ６］
前記ノイズを推定するために、ハードウェア信号プロセッサ内で、前記未使用の系列をインプリメントすることをさらに備える、Ｃ５に記載の方法。
［Ｃ７］
前記未使用の系列内でシフトごとにエネルギーメトリックを導出することと、前記エネルギーメトリックを平均することと、をさらに備え、前記ノイズが、前記エネルギーメトリックの前記平均から取得される、Ｃ６に記載の方法。
［Ｃ８］
前記ノイズを推定するために、前記未使用の系列をソフトウェア信号処理アルゴリズム内でインプリメントすること、をさらに備える、Ｃ５に記載の方法。
［Ｃ９］
前記少なくとも１つの未使用の次元に関して用いられる未使用の系列のセットからエネルギーメトリックのセットを導出すること、をさらに備え、前記ノイズを推定することは、エネルギーメトリックの前記セットを平均することをさらに備える、Ｃ８に記載の方法。
［Ｃ１０］
前記少なくとも１つの未使用の次元に関して未使用のルート系列を用いることをさらに備える、Ｃ１に記載の方法。
［Ｃ１１］
前記未使用のルート系列の巡回シフトごとにエネルギーメトリックのセットを導出することと、前記ノイズを推定するために、エネルギーメトリックの前記セットを平均することと、をさらに備える、Ｃ１０に記載の方法。
［Ｃ１２］
ワイヤレス通信に関して構成された装置であって、
アップリンクワイヤレス信号を受信するための通信インターフェースと、
前記アップリンクワイヤレス信号に関するノイズを測定するように構成された命令を格納するためのメモリと、
前記命令をインプリメントするモジュールを実行するためのデータプロセッサと、
を備え、
前記モジュールは、
前記装置によってサービス提供される地理的領域に関して未使用の信号次元のセットを識別する基準モジュールと、なお、未使用の信号次元の前記セットは、時間ベースの信号次元または周波数ベースの信号次元である；
未使用の信号次元の前記セットに関して受信されたエネルギーを測定して、前記アップリンクワイヤレス信号に関するノイズの推定を計算する計算モジュールと；
を備える、
装置。
［Ｃ１３］
未使用の信号次元の前記セットは、前記地理的領域内の少なくともアップリンク信号の伝送のために用いられないコード系列を備える、Ｃ１２に記載の装置。
［Ｃ１４］
未使用の信号次元の前記セットは、前記地理的領域内の少なくともアップリンク信号に関して直交性または疑似直交性を提供するために用いられるＺａｄｏｆｆ−Ｃｈｕ系列のセットの未使用の巡回シフトを備える、Ｃ１２に記載の装置。
［Ｃ１５］
未使用の信号次元の前記セットは、前記地理的領域内、もしくは前記装置に関連する基地局の信号範囲内で直交アップリンク信号伝送または疑似直交アップリンク信号伝送を生成するために用いられないルート系列の巡回シフトのセットを備える、Ｃ１２に記載の装置。
［Ｃ１６］
未使用の信号次元の前記セットの未使用の信号次元のサブセットに関して受信された信号エネルギーのメトリックを測定することによって、前記ノイズの推定を計算するためのハードウェア信号プロセッサ、をさらに備える、Ｃ１２に記載の装置。
［Ｃ１７］
ハードウェア信号プロセッサは、
未使用の信号次元の前記サブセットのそれぞれの未使用の信号次元に関する次元メトリックを生成し、
未使用の信号次元の前記サブセットの集約されたメトリックを導出するために、それぞれの次元メトリックに関して統計的計算を実行し、
前記ノイズを推定するために、前記集約されたメトリックを用いる、
Ｃ１６に記載の装置。
［Ｃ１８］
未使用の信号次元の前記セットに関して前記受信されたエネルギーの集約測定値から前記ノイズの推定を計算するために、前記メモリ内に格納された信号処理フォーミュラを用いる処理モジュール、をさらに備える、Ｃ１２に記載の装置。
［Ｃ１９］
未使用の信号次元の前記セットは、前記地理的領域内、または前記装置に関連する基地局のワイヤレス範囲内で利用されていないコード系列のセットから導出される、Ｃ１８に記載の装置。
［Ｃ２０］
前記信号処理フォーミュラは、未使用の信号次元の前記セットに関連して、受信されたエネルギーメトリックのセットの平均を備え、さらに、前記処理モジュールは、前記ノイズの推定に関して受信されたエネルギーメトリックの前記セットの前記平均を用いる、Ｃ１９に記載の装置。
［Ｃ２１］
未使用の信号次元の前記セットは、未使用のルート系列から取得される、Ｃ１２に記載の装置。
［Ｃ２２］
前記基準モジュールは、前記未使用のルート系列の巡回シフトから未使用の信号次元の前記セットを識別し、
前記計算モジュールは、前記未使用のルート系列の巡回シフトごとにエネルギーメトリックのセットを取得して、前記ノイズの推定を計算するために、エネルギーメトリックの前記セットを平均化する、
Ｃ２１に記載の装置。
［Ｃ２３］
ワイヤレス通信に関する装置であって、
ワイヤレスネットワークプロトコルに従って、アップリンクランダムアクセス要求に提供された時間周波数リソースを識別するための手段と、
前記時間周波数リソース上で許可されたランダムアクセス次元に対して直交または疑似直交であり、そして、前記装置によってサービス提供される地理的領域内の前記時間周波数リソース上のアップリンク伝送に割り当てられていない、信号次元を識別するための手段と、
前記信号次元の解析に基づいて、前記時間周波数リソースに関するノイズを推定するための手段と、
を備える装置。
［Ｃ２４］
前記少なくとも１つの未使用の次元に関してルート系列の未使用の巡回シフトを用いるための手段、をさらに備え、前記ルート系列は、許可されたランダムアクセスプローブ次元のセットを提供する、Ｃ２３に記載の装置。
［Ｃ２５］
前記少なくとも１つの未使用の次元に関してルート系列の未使用の巡回シフトのセットを用いるための手段、をさらに備える、Ｃ２３に記載の装置。
［Ｃ２６］
前記ルート系列は、前記ランダムアクセスプローブに疑似直交性を提供する系列である、Ｃ２５に記載の装置。
［Ｃ２７］
前記少なくとも１つの未使用の次元に関してルート系列の未使用の系列を用いるための手段、をさらに備える、Ｃ２３に記載の装置。
［Ｃ２８］
前記少なくとも１つの未使用の次元に関して未使用のルート系列を用いるための手段、をさらに備える、Ｃ２３に記載の装置。
［Ｃ２９］
メモリ内に格納されたコンピュータ実行可能モジュールを実行するように構成されたプロセッサを備えた、ワイヤレス通信に関する装置であって、前記モジュールは
ワイヤレスネットワークプロトコルに従って、アップリンクランダムアクセス要求に提供された時間周波数リソースを識別する第１のモジュールと、
前記時間周波数リソース上で許可されたランダムアクセス次元に対して直交または疑似直交であり、そして、基地局によってサービス提供される地理的領域内の前記時間周波数リソース上のアップリンク伝送に割り当てられていない、信号次元を識別する第２のモジュールと、
前記信号次元の解析に基づいて、前記時間周波数リソースに関するノイズを推定する第３のモジュールと、
を備える装置。
［Ｃ３０］
ルート系列の未使用の巡回シフトは、前記少なくとも１つの未使用の次元に関して使用され、前記ルート系列が、許可されたランダムアクセスプローブ次元のセットを提供する、Ｃ２９に記載の装置。
［Ｃ３１］
ルート系列の未使用の巡回シフトのセットは、前記少なくとも１つの未使用の次元に関して使用される、Ｃ２９に記載の装置。
［Ｃ３２］
前記ルート系列は、前記ランダムアクセスプローブに疑似直交性を提供する系列である、Ｃ３１に記載の装置。
［Ｃ３３］
ルート系列の未使用の系列は、前記少なくとも１つの未使用の次元に関して使用される、Ｃ２９に記載の装置。
［Ｃ３４］
未使用のルート系列は、前記少なくとも１つの未使用の次元に関して使用される、Ｃ２９に記載の装置。
［Ｃ３５］
コンピュータ可読媒体を備えたコンピュータプログラム製品であって、
前記コンピュータ可読媒体は、
コンピュータに、ワイヤレスネットワークプロトコルに従って、アップリンクランダムアクセス要求に提供された時間周波数リソースを識別させるための第１のコードのセットと、
前記コンピュータに、前記時間周波数リソース上で許可されたランダムアクセス次元に対して直交または疑似直交であり、そして、基地局によってサービス提供される地理的領域内の前記時間周波数リソース上のアップリンク伝送に割り当てられていない、信号次元を識別させるための第２のコードのセットと、
前記コンピュータに、前記信号次元の解析に基づいて、前記時間周波数リソースに関するノイズを推定させるための第３のコードのセットと、
を備える、
コンピュータプログラム製品。
［Ｃ３６］
ルート系列の未使用の巡回シフトは、前記少なくとも１つの未使用の次元に関して使用され、前記ルート系列が、許可されたランダムアクセスプローブ次元のセットを提供する、Ｃ３５に記載のコンピュータプログラム製品。
［Ｃ３７］
ルート系列の未使用の巡回シフトのセットは、前記少なくとも１つの未使用の次元に関して使用される、Ｃ３５に記載のコンピュータプログラム製品。
［Ｃ３８］
前記ルート系列は、前記ランダムアクセスプローブに疑似直交性を提供する系列である、Ｃ３７に記載のコンピュータプログラム製品。
［Ｃ３９］
ルート系列の未使用の系列は、前記少なくとも１つの未使用の次元に関して使用される、Ｃ３５に記載のコンピュータプログラム製品。
［Ｃ４０］
未使用のルート系列は、前記少なくとも１つの未使用の次元に関して使用される、Ｃ３５に記載のコンピュータプログラム製品。
【図１】
0005908399.tif 000003
【図２】
0005908399.tif 000004
【図３】
0005908399.tif 000005
【図４】
0005908399.tif 000006
【図５】
0005908399.tif 000007
【図６】
0005908399.tif 000008
【図６Ａ】
0005908399.tif 000009
【図７】
0005908399.tif 000010
【図８】
0005908399.tif 000011
【図９】
0005908399.tif 000012
【図１０】
0005908399.tif 000013